(57)【要約】 【課題】墓石等の石材構造物を展示場に安全且つ容易に運搬して所定場所に展示することを可能とする石材構造物の運搬・展示用パレットを提供する。【解決手段】パレット２の上部デッキボード５１に石材構造物１をボルト５６で固定する。上部デッキボード５１に、ボルト５６を上方に向けて挿通させる開口５７が設けられている。ボルト５６の螺合操作を、パレット端縁部で開放する端部開口６２から手を挿入して行なうことができる。開口５７は、上部デッキボード５１に載置された石材構造物の下面で覆い隠される。【選択図】図３
2007126184.tif 000002
【特許請求の範囲】
【請求項１】
石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠されることを特徴とする石材構造物の運搬・展示用のパレット。
【請求項２】
前記ボルトの螺合操作を、前記連結部間に形成されている空間部に、パレット端縁部で開放する端部開口から手を挿入して行うことができることを特徴とする請求項１記載の石材構造物の運搬・展示用のパレット。
【請求項３】
前記石材構造物は、最下段の芝台としての石材と、最上段の竿石としての石材を含む複数個の石材が積重状態とされ、且つその全体が、上下方向に延長し且つ上端が前記竿石の下の面に設けられた雌ネジ部にねじ込まれると共に下端のネジ軸部が前記芝台にナットで止着される連結棒で連結一体化される如くなされた墓石であることを特徴とする請求項１記載の石材構造物の運搬・展示用のパレット。
【請求項４】
前記竿石の上面部の中央部位に吊り下げ用取付け部が設けられていることを特徴とする請求項３記載の石材構造物の運搬・展示用のパレット。
【請求項５】
前記石材構造物の下面に複数の固定雌ネジ部が設けられると共に、前記上部デッキボードには、前記下面に設けられた固定雌ネジ部に螺合し得るボルトを上方に向けて挿通させる複数の開口が設けられていることを特徴とする請求項１、２又は３記載の石材構造物の運搬・展示用のパレット。
【請求項６】
請求項１記載の石材構造物の運搬・展示用のパレットに石材構造物を固定する、パレットに対する石材構造物の固定方法であって、該石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることを特徴とするパレットに対する石材構造物の固定方法。
【請求項７】
請求項１記載の石材構造物の運搬・展示用のパレットに石材構造物を固定する、パレットに対する石材構造物の固定方法であって、該石材構造物を、その下面に設けられている前記固定雌ネジ部を前記開口に位置合わせして前記上部デッキボードに載置し、その後、前記連結部間に形成されている空間部に、前記上部デッキボードに設けられている挿入開口から手を挿入して、前記開口の周縁部分の下面に座金を当接させると共に該座金に設けられているボルト挿通孔を挿通したボルトを前記固定雌ネジ部に螺合し締め付けることを特徴とするパレットに対する石材構造物の固定方法。
【請求項８】
請求項１記載の石材構造物の運搬・展示用のパレットの四隅部分に取付け部が設けられた取付け部付きのパレットと、該取付け部に着脱可能に取り付けられる取付部材が下端に設けられた吊下ロープの４本を具える吊下具とを具備し、該４本の吊下ロープの上端がクレーンのフックに取り付けられる如くなされていることを特徴とするパレット吊下装置。
【請求項９】
請求項１記載の石材構造物の運搬・展示用のパレットの四隅部分に取付け部が設けられた取付け部付きのパレットと、該取付け部に着脱可能に取り付けられる取付部材が下端に設けられた吊下ロープの４本を具える吊下具とを具備し、該４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするパレット吊下装置。
【請求項１０】
請求項９記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とする石材構造物の運搬・展示方法。
【請求項１１】
請求項９記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とする石材構造物の運搬・展示方法。
【発明の詳細な説明】
【技術分野】
【０００１】
本発明は、墓石等の石材構造物を展示場に安全且つ容易に運搬して所定場所に展示することを可能とする石材構造物の運搬・展示用パレットに関するものであり、該パレットに対する石材構造物の固定方法、石材構造物が設置されたパレットを安全に吊下するためのパレット吊下装置、更に、石材構造物を前記パレットを用いて運搬・展示するための石材構造物の運搬・展示方法に関するものである。
【背景技術】
【０００２】
墓石等の石材構造物を展示場に運搬し、運搬先でこれを展示する従来方法としては、該石材構造物を木枠に梱包し、この梱包物をクレーンで吊り上げてトラックの荷台に積載し、展示場に運搬した後、運搬先で該梱包物をクレーンで吊り下ろしていた。
【０００３】
梱包物の嵩や梱包形態は、収容される石材構造物の大きさや形態によって様々であるために、該梱包物をトラックの荷台に積載する際や荷台から吊り下ろす際は、各梱包物に応じて安全な吊下部を慎重に選定した上で、該吊下部に吊りロープを取り付けてクレーンで吊下しなければならなかった。このように、重量のある梱包物を安全且つ確実に吊り上げたり吊り下ろしたりする作業には細心の注意を払う必要があり、作業能率が悪い問題があった。又、トラックで運搬中に梱包物が不用意に移動しないように、該梱包物にしっかりとロープ掛けを施す必要があった。加えて運搬先においては、ロープを外して該梱包物を吊り下ろすと共に梱包を解いて石材構造物を取り出し、これをパレット等の上に位置決めして載置しなければならない面倒さがあった。
【０００４】
特に、複数の石材を順次積み上げて構成する墓石等にあっては、各石材を正しく位置決めしながら順次積み上げなければならず、その作業には熟練を要した。又、展示場における石材の積み上げ作業には多くの時間を要したため、石材構造物を効率的に展示し難い問題もあった。
【０００５】
かかる石材構造物の運搬が展示目的のためである場合は、展示された石材構造物を撤収する際に再びこれを木枠に梱包し、該梱包物を前記と同様にしてクレーンで吊り上げてトラックの荷台に積載しなければならず、撤収作業にも多大の手間と時間を要した。そして、かかる運搬作業と撤収作業は、展示場を移動するたび毎に行わなければならず、石材構造物の運搬・展示に多大の手間と時間を要したばかりか、運搬・展示コストの上昇を招く問題があった。
【０００６】
又墓石の運搬等に際して、特開２０００−３３５８７３号公報が開示するように、個々の石材をクランプで挾持して吊り上げ、これを所定場所に吊り下ろすことも行われていたが、かかるクランプ挾持作業は、石材の表面状態によっては滑り落ちやすいために、石材構造物の吊り上げに危険が伴いやすく、作業の安全性に問題があった。
【０００７】
【特許文献１】特開２０００−３３５８７３号公報（３頁、図１、図２）
【発明の開示】
【発明が解決しようとする課題】
【０００８】
本発明は、前記従来の問題点等に鑑みて開発されたものであり、パレットを用いて石材構造物を展示場に運搬し、該石材構造物を運搬先で吊り下ろして展示するに際し、パレットに対する石材構造物の固定を安全且つ容易に行うことのできる石材構造物の運搬・展示用パレットの提供を課題とするものである。又、該石材構造物をパレットに安全且つ能率的にボルトで固定するための石材構造物の固定方法の提供を課題とするものである。又、石材構造物とパレットとの一体化物を安全且つ容易に吊り上げたり吊り下ろしたりすることのできるパレット吊下装置の提供を課題とするものであり、更に、石材構造物の損傷を生じさせないパレット吊下装置の提供を課題とするものである。更に進んで、石材構造物を展示場に安全且つ作業性よく運搬してこれを運搬先で安全且つ能率的に吊り下ろして展示することのできる石材構造物の運搬・展示方法の提供を課題とするものである。
【課題を解決するための手段】
【０００９】
前記課題を解決するため本発明は以下の手段を採用する。
即ち本発明に係る石材構造物の運搬・展示用のパレット（主態様）は、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠されることを特徴とするものである。
【００１０】
前記石材構造物の運搬・展示用のパレットにおいて、前記ボルトの螺合操作を、前記連結部間に形成されている空間部に、パレット端縁部で開放する端部開口から手を挿入して行うことができるように構成するのがよい。
【００１１】
又前記石材構造物の運搬・展示用のパレットにおいて、前記石材構造物は、最下段の芝台としての石材と、最上段の竿石としての石材を含む複数個の石材が積重状態とされ、且つその全体が、上下方向に延長し且つ上端が前記竿石の下の面に設けられた雌ネジ部にねじ込まれると共に下端のネジ軸部が前記芝台にナットで止着される連結棒で連結一体化される如くなされた墓石とすることができる。この場合、前記竿石の上面部の中央部位に吊り下げ用取付け部を設けるのがよい。
【００１２】
前記各石材構造物の運搬・展示用のパレットにおいて、前記石材構造物の下面に複数の固定雌ネジ部を設けると共に、前記上部デッキボードには、前記下面に設けられた固定雌ネジ部に螺合し得るボルトを上方に向けて挿通させる複数の開口を設けるのがよい。
【００１３】
本発明に係るパレットに対する石材構造物の固定方法は、前記主態様のパレットに石材構造物を固定する、パレットに対する石材構造物の固定方法であって、該石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることを特徴とするものである。
【００１４】
本発明に係るパレットに対する石材構造物の固定方法の他の態様は、前記主態様のパレットに石材構造物を固定する、パレットに対する石材構造物の固定方法であって、該石材構造物を、その下面に設けられている前記固定雌ネジ部を前記開口に位置合わせして前記上部デッキボードに載置し、その後、前記連結部間に形成されている空間部に、前記上部デッキボードに設けられている挿入開口から手を挿入して、前記開口の周縁部分の下面に座金を当接させると共に該座金に設けられているボルト挿通孔を挿通したボルトを前記固定雌ネジ部に螺合し締め付けることを特徴とするものである。
【００１５】
本発明に係るパレット吊下装置は、前記主態様のパレットの四隅部分に取付け部が設けられた取付け部付きのパレットと、該取付け部に着脱可能に取り付けられる取付部材が下端に設けられた吊下ロープの４本を具える吊下具とを具備し、該４本の吊下ロープの上端がクレーンのフックに取り付けられる如くなされていることを特徴とするものである。
【００１６】
又本発明に係るパレット吊下装置の他の態様は、前記主態様のパレットの四隅部分に取付け部が設けられた取付け部付きのパレットと、該取付け部に着脱可能に取り付けられる取付部材が下端に設けられた吊下ロープの４本を具える吊下具とを具備し、該４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするものである。
【００１７】
本発明に係る石材構造物の運搬・展示方法は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とするものである。
【００１８】
又本発明に係る石材構造物の運搬・展示方法のより好ましい態様は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とするものである。
【発明の効果】
【００１９】
本発明は以下の如き優れた効果を奏する。
(1) 本発明に係るパレットによるときは、石材構造物を展示場に運搬し、これを運搬先で展示のために設置するに際し、該石材構造物をパレットに安全に且つ容易にボルト固定できる。かかることから本発明によるときは、石材構造物を運搬する際、従来のような梱包作業を要することなく、又、石材構造物をロープでトラックの荷台に固定することも特に要さず、該石材構造物を、作業手間を削減して安全且つ能率的に運搬できる。又、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００２０】
(2) 又、本発明に係るパレット吊下装置によるときは、パレットの四隅部分に取付け部が設けられているため、吊下ロープの下端部分を該取付け部に掛着する等して、重量物たる墓石等の石材構造物とパレットとの一体化物を、安全且つ容易に吊り上げたり吊り下ろしたりすることができる。
又、該吊下ロープに筒状保護カバーが装着されているときは、下端に設けられた取付部材が金属製のフック部材であるときにも、展示品である墓石等の石材構造物を該取付部材で損傷する恐れなく、石材構造物とパレットとの一体化物を吊り上げたり吊り下ろしたりすることができる。
【００２１】
(3) 又、本発明に係る石材構造物の固定方法によるときは、上部デッキボードと下部デッキボードとの間に形成されている空間部を、前記ボルト固定を行う際に手を挿入するスペースとして有効活用して、石材構造物をパレットに安全且つ能率的にボルト固定でき、しかも、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００２２】
(4) 更に本発明に係る石材構造物の運搬・展示方法によるときは、墓石等の石材構造物とパレットとを一体化し、該一体化物を取り扱うため、石材構造物をパレットに一旦固定してしまえば、後は、該一体化物を、安全且つ確実に吊り上げたり吊り下ろしたりできる。従って、従来のような梱包作業を必要とせず、石材構造物を展示場に安全且つ能率的に運搬できると共に、該一体化物を所定場所に安全且つ能率的に吊り下ろすことができる。そして、このように一体化物を吊り下ろしさえすれば石材構造物の展示が直ちに可能になることから、展示のための準備時間を削減して効率的な展示を行い得ることとなる。加えて、石材構造物とパレットとが一体化していることから、展示終了後における撤収作業も安全且つ能率的に行うことができ、次の展示場への運搬も容易である。
【００２３】
(5) 本発明に係るパレットによるときは、特に石材構造物が墓石である場合、該墓石を前記のようにパレットに安全にボルト固定できることから、例えば図１６に示すようにパレットを傾斜させた際にも石材構造物が転倒する恐れがなく、墓石等の耐震性をアピールした展示が可能となる。
又、竿石の上端にアイボルト等の吊り下げ用取付け部を設ける場合は、墓石とパレットとの一体化物を該吊り下げ用取付け部で吊り上げることにより、複数の石材を連結して構成された墓石の安定した連結状態を印象づけることができ、これによっても墓石の耐震性をアピールできる。
【００２４】
(6) そして本発明においては、石材構造物をパレットに固定することとしているため、該石材構造物が墓石や五輪塔等である場合、該パレットを墓地の基礎部分と見立てたとき、墓地における墓石等の建立状態をイメージさせやすくして展示効果を上げることができる。
【実施例１】
【００２５】
図１は、図２に示す石材構造物１を、安全且つ容易に展示場に運搬して所定場所に展示するために用いられる、石材構造物の運搬・展示用のパレット２を示すものである。又図２は、該パレット２を吊下するパレット吊下装置３を示すものである。
【００２６】
該パレット吊下装置３は、前記パレット２の四隅部分に、フック掛着部５ａとしての取付け部５が設けられた取付け部付きパレット６と、該取付け部５に着脱自在に取り付けられるフック部材７ａとしての取付部材７が下端に設けられた吊下ロープ９の４本とを具える吊下具１０を具備し、該４本の吊下ロープ９，９，９，９の夫々に筒状保護カバー１１が装着されている。
【００２７】
前記石材構造物１は、石材１２を積み上げて構成された墓石や灯籠、石碑、更には単一の石材からなる構造物を指すものであるが、本実施例においては、図２〜３に示すように、最下段の芝台１３としての石材１２と、最上段の竿石１５としての石材１２を含む複数個の石材１２が積重され且つ全体が連結棒１４（図３）で連結一体化される墓石１ａとして構成されている。そして本実施例においては、石材相互が、位置決め軸１６（図３）を介して正しく位置決めされて積重される。
【００２８】
該墓石１ａは、より具体的には図２〜３に示す構成を有しており、最下段の芝台１３としての石材１２上に、中台１７としての石材１２を積重し、その上に上台１９としての石材１２を積重すると共に、その上に寸輪２０としての石材１２を積重し、更にその上に、上下に長い竿石１５としての石材１２を積重した構成を有している。そして、前記芝台１３と中台１７と上台１９と寸輪２０の夫々には、図３〜６に示すように、その中央に、上下方向に貫通する連結孔２１，２１，２１，２１が設けられている。該連結孔２１の直径は、例えば１８ｍｍ程度に設定される。又、前記竿石１５の下の面２４の中央には、図３、図６に示すように雌ネジ部２２が埋設されると共に、該竿石１５の上面部３４の中央部位には、図３、図５に示すように、アイボルト等の吊り下げ用取付け部２３が設けられている。
【００２９】
又、図３、図４〜６に示すように、前記芝台１３の上の面２５と、前記中台１７の上下の面２６，２７と、前記上台１９の上下の面２９，３０と、前記寸輪２０の上下の面３１，３２の夫々に、前記連結孔２１を挟んだ対向側で、例えば左右に位置させて、且つ前記連結孔２１から同距離で、２個の有底の円形状位置決め孔３３，３３が同径、同深さで設けられている。又前記竿石１５の下の面３５にも、図６に示すように、前記雌ネジ部２２を挟んだ対向側で、例えば左右に位置させて、且つ前記雌ネジ部２２から同距離で、２個の有底の円形状位置決め孔３３，３３が同径、同深さに設けられている。該位置決め孔３３の直径は、例えば１６ｍｍ程度に設定される。そして図４に示すように、上下の位置決め孔３３，３３を連通させて下の石材１２上に上の石材１２を積重した状態で、前記連結孔２１，２１相互が上下連通し且つ前記竿石１５の雌ネジ部２２と前記寸輪２０の連結孔２１とが連通する如くなされている。
【００３０】
そして下の石材１２上に上の石材１２を積重するに際し、下の石材１２の上の面に設けられている２個の位置決め孔３３，３３に、図３〜４に示すように、円柱状位置決め軸１６，１６の下側部分３６，３６を挿入する。これにより、前記位置決め軸１６，１６の上側部分３７，３７が、前記上の面２５，２６，２９，３１で突出状態になる。該突出状態の上側部分３７，３７は、上の石材１２を吊り下ろすことにより、該上の石材１２の前記下の面２７，３０，３２，２４に設けられた位置決め孔３３，３３に挿入される。
【００３１】
又、図２、図５〜７に示すように、前記芝台１３の前側部分の中央には、納骨のための、例えば円形状の開口３９が設けられている。本実施例においては図６〜７に示すように、該開口３９の下側部分４０に、後側に向けて拡張する拡張凹部４１が連設され、該拡張凹部４１の上側部分は庇状の連結板部４２とされると共に、該連結板部４２に前記連結孔２１が貫設されている。そして図６、図８に示すように、該芝台１３の下面４３の左右部分（対向部分）４５，４５の前後（両側）４箇所において、固定雌ネジ部４６，４６，４６，４６が埋設されている。又、前記中台１７の前面側の中央部には、図２、図６〜７に示すように、下端開放の出し入れ口４７が、前記開口３９に連なるように設けられている。
【００３２】
又前記連結棒１４は、上下に長い例えばステンレス製のものであり、図３に示すように、その下端に前記ネジ軸部４９が設けられると共にその上端にもネジ軸部５０が設けられており、該上のネジ軸部５０は前記竿石１５の前記雌ネジ部２２に螺合せしめられる。
【００３３】
前記パレット２は、例えば図１に示すように、１辺長さが１１０ｃｍ程度で厚さが１５ｃｍ程度の正方形板状を呈している。本実施例においては、全体が合成樹脂で一体に形成されており、正方形板状に形成された上部デッキボード５１と下部デッキボード５２とが、周縁部分の四隅に配設された隅の連結部５３，５３，５３，５３と、該隅の連結部５３，５３間に配設された中間の連結部５５，５５，５５，５５と、中央の連結部５８とにより連結された正方形板体として形成されており、図２に示すように、該上部デッキボード５１の後側寄り部分に前記石材構造物１が載置される。
【００３４】
又、該上部デッキボード５１の後側寄り部分には、図１、図８に示すように、前記芝台１３の下面４３に設けられた前記４個の固定雌ネジ部４６，４６，４６，４６に螺合し得るボルト５６，５６，５６，５６を上方に向けて挿通させる、例えば円形の開口５７，５７，５７，５７が、正方形の各頂点に位置するように設けられている。本実施例においては、該ボルト５６はボルト頭５４を有し、そのネジ軸５９の径は１８ｍｍに設定されると共に該開口５７の径は、該ネジ軸５９の挿通を容易とするために、それよりも稍大径の２５ｍｍに設定されている。そして該開口５７は、図２に示すように、前記上部デッキボード５１に前記芝台１３を載置したときに該芝台１３の下面４３で覆い隠される。
【００３５】
かかる構成を有するパレット２に前記墓石１ａを固定するに際しては、図９、図８に示すように、前記芝台１３を、その下面４３に設けられている固定雌ネジ部４６，４６，４６，４６を前記開口５７，５７，５７，５７に位置合わせして、前記上部デッキボード５１に載置する。本実施例においては、その後、前記隅の連結部５３と中間の連結部５５との間に形成されている空間部６０に、パレット端縁部６１で開放する端部開口６２から手を挿入して（挿入量は、例えば１５ｃｍ程度）、前記開口５７の周縁部分の下面６３に、厚さが４ｍｍ、一辺長さが１００ｍｍで且つその中央部に１８ｍｍのボルト挿通孔６５が設けられた例えば正方形板状を呈する座金６６を当接させ、該ボルト挿通孔６５に前記ボルト５６のネジ軸５９を挿通させ、該ネジ軸５９を前記固定雌ネジ部４６に螺合し、レンチで締め付ける。これによって、前記芝台１３をパレット２に固定する。この状態で、前記４個の開口５７，５７，５７，５７は、前記芝台１３の下面（石材構造物１の下面４８）４３で覆い隠される。
【００３６】
その後、図９、図４、図３に示すように、該芝台１３の上の面２５に設けられた左右の位置決め孔３３，３３の夫々に、前記位置決め軸１６の下側部分３６，３６を挿入する。この状態で、該位置決め軸１６，１６の上側部分３７，３７が、前記上の面２５の左右で突出状態となる。その後、前記中台１７を、その下の面２７に設けられている左右の位置決め孔３３，３３に前記位置決め軸１６，１６の上側部分３７，３７が挿入されるように位置決めをして吊り下ろす。これにより、芝台１３に設けられた連結孔２１と中台１７に設けられた連結孔２１とが、図４に示すように連通状態となる。
【００３７】
その後、図３〜４に示すように、中台１７の上の面２６の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２６の左右で突出状態となる。その後、前記上台１９を、その下の面３０に設けられている左右の位置決め孔３３，３３に前記位置決め軸１６，１６の上側部分３７，３７が挿入されるように位置決めをして、吊り下ろす。これにより、中台１７に設けられた連結孔２１と上台１９に設けられた連結孔２１とが図４に示すように連通状態となる。
【００３８】
その後、図３〜４に示すように、上台１９の上の面２９の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２９の左右で突出状態となる。その後、前記寸輪２０を、その下の面３２に設けられている左右の位置決め孔３３，３３に、前記位置決め軸１６，１６の上側部分３７，３７が挿入されるように位置決めをして、吊り下ろす。これにより、上台１９に設けられた連結孔２１と寸輪２０に設けられた連結孔２１とが図４に示すように連通状態となる。
【００３９】
この一連の組立工程を経ることにより、各石材に設けられた前記連結孔２１，２１，２１，２１が上下連通状態となる。この連通した連結孔に、図１０に示すように、前記連結棒１４を上から下に向けて挿通させ、該連結棒１４の上端のネジ軸部５０を前記竿石１５の前記雌ネジ部２２に螺合するのであるが、その際は図１０に示すように、連通した連結孔の直上に前記雌ネジ部２２が存するように竿石１５を吊下状態とし、前記ネジ軸部５０を前記雌ネジ部２２に螺合させる。
【００４０】
その後、該竿石１５を吊り下ろし、これを前記寸輪２０の上の面３１に載せるのであるが、その際、図１０に示すように、該上の面３１の左右に設けられている位置決め孔３３，３３の夫々に、位置決め軸１６，１６の下側部分３６，３６を挿入しておく。この状態で、該位置決め軸１６，１６の上側部分３７，３７が、前記上の面３１の左右で突出状態となる。その後、前記竿石１５を、その下の面２４の左右に設けられた前記位置決め孔３３，３３に前記位置決め軸１６，１６の上側部分３７，３７が挿入されるように位置決めして吊り下ろす。前記竿石１５が寸輪２０の上の面３１に載置された状態で、前記連結棒１４の下端のネジ軸部４９が、図３、図７に示すように、前記芝台１３の前記連結板部４２の下面６７で、例えば３０ｍｍ程度突出状態となる。その後、図７に示す前記出し入れ口４７から前記開口３９を通して前記拡張凹部４１内に手を挿入し、図４、図７に示すように、前記下端のネジ軸部４９に座金５８を介してナット６９を螺合し締め付ける。このようにナット６９を締め付けることによって、墓石１ａが連結棒１４を介して一体化され、前記４本のボルト５６，５６，５６，５６を介して前記パレット２に安定状態に固定される。
【００４１】
このように墓石１ａをパレット２に固定した状態において、前記開口５７が前記芝台１３の下面４３で被い隠された状態になるために、該開口５７によって墓石の設置状態の見栄えが損なわれる恐れがない。
【００４２】
前記墓石１ａを展示場に運搬して展示するに際しては、墓石１ａとパレット２との一体化物６８（図１２）をクレーンでトラックの荷台に積んでこれを展示場に運搬し、運搬先において、該一体化物をクレーンで吊り下ろして所定場所に展示する。
【００４３】
又、前記パレット吊下装置３を構成する前記取付け部付きパレット６は、図１１（Ａ）に示すように、前記パレット２を用いて構成されている。前記取付け部５を形成するには、例えば図１１（Ｂ）に示すような、両端にループ部７０，７１が設けられた布製等のバンド７４を用い、これを前記四隅の連結部５３，５３，５３，５３の夫々に巻き付けると共に一方のループ部７０に他方のループ部７１を潜らせて該他方のループ部７１を突出状態にし、該突出した他方のループ部７１を前記取付け部５とする。
【００４４】
又前記吊下具１０は、本実施例においては、図２、図１２に示すように、独立した４本の吊下ロープ９，９，９，９を用いて構成されており、該吊下ロープ９は、布製の帯状を呈するロープ本体７２の下端に、前記取付け部５に掛着される取付部材（金属製のフック部材７ａ）７が設けられると共に、該ロープ本体７２の上端には、クレーンのフック７３に掛着により取り付けられる取付けループ部６４が設けられている。
【００４５】
又前記４本の吊下ロープ９，９，９，９の夫々には、図１２に示すように、上下端が開放した筒状を呈し且つ前記パレット２に載置されている前記墓石１ａを損傷しない素材（例えば布製素材）からなる前記筒状保護カバー１１が、その挿通孔７５に前記吊下ロープ（ロープ本体７２）９を挿通させて上下動可能に装着されている。該筒状保護カバー１１は、手による上下動操作を容易とするために比較的長く形成され（本実施例においては４０ｃｍ程度に設定され）、その上側の部分が把持部７６とされている。
【００４６】
前記のように墓石１ａをパレット２に固定した後、前記パレット吊下装置３を用いて該墓石１ａを展示場に運搬して展示するに際しては、例えば図２に示すように、前記４本の吊下ロープ９，９，９，９の上端の取付けループ部６４，６４，６４，６４をクレーンの前記フック７３に掛着により取り付け、図２に示すように、パレット２上の墓石１ａの上側で吊り下げられた状態にする。その後、該４本の吊下ロープ９，９，９，９を、各吊下ロープ９の前記取付部材７を前記取付け部５に取り付けることができるように吊り下ろす。この吊り下ろしの際、前記取付部材（前記金属製のフック部材７ａ）７が前記筒状保護カバー１１の下端収容部７７内に納められていて露出状態にないことから、該取付部材７が墓石１ａに当たったとしても、該取付部材７によって墓石１ａが損傷される恐れがない。
【００４７】
該取付部材７が金属製のフック部材である場合において前記筒状保護カバー１１が設けられていないとすれば、各吊下ロープ９，９，９，９を図１３に矢印で示すように吊り下ろす際に、該取付部材７が墓石１ａに当たって墓石１ａが損傷される恐れがあるので好ましくない。
【００４８】
前記取付部材７を前記取付け部５に取り付けることができるように、各吊下ロープ９を図１４（Ａ）に示すように吊り下ろして後、図１４（Ｂ）に示すように、前記筒状保護カバー１１を前記把持部７６で把持して上昇させることによって前記取付部材（フック部材７ａ）７を露出させ、該フック部材７ａを図１４（Ｃ）、図１２の左側部分に示すように、前記取付け部５に掛着により取り付ける。その後、図１４（Ｄ）、図１２に示すように、該筒状保護カバー１１を下降させて該フック部材７ａを該筒状保護カバー１１の下端収容部７７内に納める。然る後、該４本の吊下ロープ９，９，９，９を介して前記パレット２をクレーンで吊り上げてトラックの荷台に載せる。その後、該筒状保護カバー１１を上昇させて前記取付部材（フック部材７ａ）７を露出させ、該フック部材７ａを前記取付け部５から取り外す。
【００４９】
その後、前記一体化物６８をトラックで展示場に運搬する。展示場では、前記と同様にして、前記４本の吊下ロープ９，９，９，９の上端の取付けループ部６４，６４，６４，６４をクレーンのフック７３に掛着により取り付け、図１２に示すように、パレット２上の墓石１ａの上側で吊り下げられた状態にする。その後、該４本の吊下ロープ９，９，９，９を、各吊下ロープの前記取付部材（フック部材７ａ）７を前記取付け部５に取り付けることができるように吊り下ろし、前記フック部材７ａを前記取付け部５に掛着により取り付ける。然る後、該４本の吊下ロープ９，９，９，９を介して前記パレット２をクレーンで吊り上げ、該パレット２を展示場の所定場所に吊り下ろして設置した後、各吊下ロープ９の取付部材（フック部材７ａ）７を前記取付け部５から外す。
【００５０】
墓石１ａの展示は、該墓石１ａにパレット２が取り付いた状態で行われるのであるが、展示状態の見栄えを考慮して、四隅の連結部５３，５３，５３，５３に巻き付けられていた前記バンド７４，７４，７４，７４を取り外すのがよい。図１５に示す展示状態においては、前記パレット２の、墓石１ａの前側スペース部７９に、台座８０を設置すると共に該台座８０上に香炉８１や花立て８２を載置している。このようにすれば、前記パレット２を墓地における基礎部と見立てて、墓石の実際の建立状態をイメージできることとなり、墓石の展示効果を上げることができる。
【００５１】
又本実施例においては、図３に示すように、墓石１ａが連結棒１４を介して一体化されると共に該墓石１ａが前記ボルト５６，５６，５６，５６を介して前記パレット２に安定状態に固定されていることから、図１６に示すように、該パレット２を例えば１５〜２０度に傾けても、墓石１ａが転倒する恐れがない。従って、展示会場において墓石１ａの耐震性を強くアピールできることとなる。又本実施例においては、前記竿石１５の上端に吊り下げ用取付け部（アイボルト等）２３を固定しているため、図１７に示すように、該吊り下げ用取付け部２３にフック８３を掛着してチエンブロック等で墓石１ａを吊り上げると、墓石１ａとパレット２との一体化物６８が吊り上げられることになる。これにより、墓石全体の一体化強度を強く印象付けることができ、この面からも墓石１ａの耐震性を強くアピールできることとなる。
【００５２】
そして、展示場において顧客が所定の墓石を注文したい場合は、パソコン上で注文書を作成し、無線ＬＡＮやインターネット等を介して直ちに発注することが可能である。所定の展示期間が終わった後は、前記した要領によって、墓石１ａが固定されているパレット２をクレーンで吊り上げてトラックの荷台に載せ、別の展示場に運搬し、前記と同様にしてその展示場でパレット２を吊り下ろして展示する。
【実施例２】
【００５３】
本発明は、前記実施例で示したものに限定されるものでは決してなく、「特許請求の範囲」の記載内で種々の設計変更が可能であることはいうまでもない。その一例を挙げれば次のようである。
【００５４】
(1) 図１８は、パレット端縁部で開放する前記端部開口６２から手を挿入して前記ボルト５６の螺合操作等を行いにくい場合に用いられるパレット２を例示するものであり、前記上部デッキボード５１に挿入開口８５を設け、該挿入開口８５から手を挿入して前記ボルト５６の螺合操作等を行い得るように構成されている。該挿入開口８５は、例えば図１８に一点鎖線で示すように、前記台座８０や香炉８１等を上部デッキボード５１に載せて覆い隠すのがよい。
【００５５】
(2) 墓石１ａとしての石材構造物１をパレット２に固定するに際し、前記実施例においては、芝台１３を上部デッキボード５１にボルト５６で固定した後に該芝台１３上に他の石材を順次積重して墓石１ａの全体を連結棒１４で連結一体化する構成を採用しているが、墓石１ａの全体を連結棒１４で一体化した後に、前記芝台１３をボルト５６を用いて上部デッキボード５１に固定する作業工程によってもよい。
【００５６】
又、墓石１ａとしての石材構造物１を連結棒１４で一体化する手段は、例えば図１９に示すように、間隔を置いて前後左右に配置された支持台８６，８６，８６，８６上に前記芝台１３のコーナ部分８７，８７，８７，８７を載置して後、該芝台１３上に順次石材１２を載置することによって行ってもよい。その際、竿石１５の下の面の雌ネジ部２２に螺合して下方に突出した連結棒１４を、連通状態にある連結孔２１に下方に向けて挿通状態とし、前記芝台１３の下方に突出した連結棒１４の下端のネジ軸部４９を、芝台１３の下面中央部に設けられた凹嵌部８９に突出状態とし、該ネジ軸部４９に座金を介してナット９１を螺合し締め付ける。このとき、該連結棒１４の下端が芝台１３の下面４３から突出しないようにする。その後、該一体化された墓石１ａを前記上部デッキボード５１に載置し、前記と同様にして、前記芝台１３を該上部デッキボード５１にボルト５６，５６，５６，５６で固定する。
【００５７】
又、複数の石材を積重状態で一体化する連結棒１４は、図２０に示すように、一端にボルト頭９３が設けられると共に他端側がネジ軸部９５とされた長ボルト９６として構成されてもよい。図２０は、かかる長ボルト９６を用いて複数の石材１２を積重一体化した場合を示すものであり、上下２個の石材１２，１２を上下方向に挿通する前記長ボルト９６のボルト頭９３が、下の石材１２ａの下面９７の中央部分に設けられた凹部９９に納められると共に、前記ネジ軸部９５が前記上の石材１２ｂの下の面１００に設けられた雌ネジ部２２に螺合され締め付けられている。そしてこの状態で、前記各開口５７は、石材構造物１の下面４８で覆い隠される。
【００５８】
図２１〜２２は、前記上部デッキボード５１に、前記開口５７，５７，５７，５７に加えて中央部にも中央開口１０１を設けた場合を示すものであり、墓石等の石材構造物１の下面１０２で下方に突出された連結棒１４のネジ軸部１０３を、該中央開口１０１に上から下に向けて挿通させ、該中央開口１０１の下側で突出するネジ軸部１０３に、パレット端縁部で開放する端部開口６２から手を挿入して該ネジ軸部１０３に座金１０５を介してナット１０６を螺合し締め付けることにより、墓石１ａを連結棒１４で一体化すると共に該墓石１ａをパレット２に固定し、且つ、前記４つの開口５７，５７，５７，５７を挿通する前記ボルト５６を前記芝台１３の下面に設けられた雌ネジ部２２，２２，２２，２２に螺合し締め付けることによって、墓石１ａをパレット２にボルト固定している。そしてこの状態で、前記各開口５７は、石材構造物１の下面４８で覆い隠される。
【００５９】
(3) 前記石材構造物１は、前記した墓石の他、灯籠や五輪塔、墓誌等の、複数の石材を連結して構成されたものや、前記した香炉や花立て等の単一の石材からなるものであってもよい。これらの石材構造物１をパレット２に固定する際、該石材構造物１のパレット２に対する必要な固定強度を考慮して、一本乃至複数本のボルトでパレット２に固定する。香炉や花立て等の比較的小さな石材構造物１であれば、１本のボルトによっても安定的に固定できる。そして、該ボルト固定のために用いられる前記開口５７は、石材構造物１の下面で被い隠される。なお該石材構造物は、人造石からなるものであってもよい。
【００６０】
(4) 前記吊下具１０は、吊下ロープ９の４本を具えておればよいのであり、前記実施例におけるように各吊下ロープが独立している必要はなく、４本の吊下ロープの上端が一体化していてもよい。
本発明において、上部デッキボード５１に設けられた開口５７を挿通したボルト５６を、石材構造物１の下面４８に設けられた固定雌ネジ部４６に螺合し締め付ける構成は、前記したようなボルト頭５４が設けられたボルト５６を用いて行なうことの他、図２３に示すように、該ボルト５６を、両端部分がネジ軸部１０７，１０９とされた（本実施例においては全長に亘ってネジ軸部とされた）直線軸状のボルト５６を用い、その一端側のネジ軸部１０７を前記固定雌ネジ部４６に螺合すると共に、他端側のネジ軸部１０９にナット１１０を螺合し、該ナット１１０を締め付ける構成のものを含むものである。
【００６１】
(5) 図２４、図２６は、前記取付け部５の他の態様を示すものであり、ネジ軸部１１１の上端にフック部１１２を設けたフック状掛止部材１１３を用いて構成され、該ネジ軸部１１１を、例えば図２６に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記フック部１１２は、何らかの手段でパレット２の四隅部分の連結部５３に設けられればよいのであり、例えば、該フック部に設けたアンカー部を該連結部５３に埋設して設けてもよい。
【００６２】
又図２５、図２７は、前記取付け部５のその他の態様を示すものであり、ネジ軸部１２０の上端にリング部１２１を設けたリング状掛止部材１２２を用いて構成され、該ネジ軸部１２０を、例えば図２７に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記リング部１２１は、何らかの手段でパレット２の四隅部分の連結部５３に設けられればよいのであり、例えば、該リング部に設けたアンカー部を該連結部５３に埋設して設けてもよい。
【００６３】
図２６の右側には、前記フック部材７ａとしての取付部材７を、前記フック状掛止部材１１３のフック部１１２に掛着により取り付けた状態が示されており、図２７の右側には、前記フック部材７ａとしての取付部材７を、前記リング状掛止部材１２２のリング部１２１に掛着により取り付けた状態が示されている。
【００６４】
又図２８の右側には、Ｕ字状掛止部材７ｂとしての取付部材７を、前記フック状掛止部材１１３のフック部１１２に掛着により取り付けた状態が示されており、図２９の右側には、Ｕ字状掛止部材７ｂとしての取付部材７を、前記リング状掛止部材１２２のリング部１２１に掛着により取り付けた状態が示されている。ここに該Ｕ字状掛止部材７ｂは、図２９に示すように、Ｕ字状部１２３の両端部１２５，１２７の一方１２５にボルト挿通孔１２６が設けられると共に他方１２７にネジ孔１２８が設けられており、掛止ボルト１２９のネジ軸部１３０を前記ボルト挿通孔１２６に挿通すると共に、該ネジ軸部１３０を前記ネジ孔１２８に螺合することによって構成されている。
【００６５】
図２６〜２９に示す場合においても、図１４（Ｄ）に示すと同様にして、前記筒状保護カバー１１を下降させて、前記フック部材７ａや前記Ｕ字状掛止部材７ｂを該筒状保護カバー１１の下端収容部７７内に納める。
【００６６】
(6) 図３０は、前記バンド７４の他の態様を示すものであり、全体がロープを用いて構成され、両端にループ部７０，７０が設けられている。図３１は、該バンド７４を用いて構成された取付け部５を示すものであり、これを前記連結部５３の夫々に巻き付けると共に一方のループ部７０に他方のループ部７１を潜らせて該他方のループ部７１を突出状態にし、該突出した他方のループ部７１を取付け部５としている。そして図３１に示すように、該取付け部５（ループ部７１）にフック部７ａが掛着される。
【００６７】
(7) 前記取付け部５及び該取付け部５に取り付けられる前記取付部材７は、前記したものに特定されず、各種に構成できる。
【図面の簡単な説明】
【００６８】
【図１】本発明に係るパレットを示す斜視図である。
【図２】本発明に係るパレット吊下装置をその使用状態で示す斜視図である。
【図３】墓石をパレットに固定した状態を示す断面図である。
【図４】その部分拡大図である。
【図５】パレットと墓石の構成を説明する斜視図である。
【図６】パレットと墓石の構成を説明する斜視図である。
【図７】墓石を連結棒で一体化する工程を説明する断面図である。
【図８】芝台をパレットの上部デッキボードに固定する工程を説明する斜視図である。
【図９】墓石をパレットに固定した状態を示す断面図である。
【図１０】パレット上において墓石を連結棒で一体化する工程を説明する断面図である。
【図１１】取付け部付きパレットを、これを構成するバンドと共に示す斜視図である。
【図１２】吊下具で、墓石が固定されたパレットを吊り上げる工程を説明する斜視図である。
【図１３】筒状保護カバーが設けられていない吊下具で墓石を吊り上げる場合の問題点を説明する斜視図である。
【図１４】墓石とパレットとの一体化物を吊下具で吊り上げる工程を説明する説明図である。。
【図１５】墓石の展示状態を示す斜視図である。
【図１６】墓石が固定されたパレットを傾けた状態を示す正面図である。
【図１７】墓石とパレットとの一体化物を吊り上げた状態を示す正面図である。
【図１８】挿入開口が設けられたパレットをその使用状態で示す部分斜視図である。
【図１９】墓石を連結棒で一体化する他の手段を説明する断面図である。
【図２０】２個の石材を長ボルトで連結した状態を示す部分断面図である。
【図２１】上部デッキボードに中央開口が設けられたパレットを示す斜視図である。
【図２２】そのパレットに墓石を固定した状態を示す断面図である。
【図２３】石材構造物の下面に設けられた固定雌ネジ部にボルトを螺合し締め付ける他の構成を示す断面図である。
【図２４】取付け部の他の態様を示す斜視図である。
【図２５】取付け部のその他の態様を示す斜視図である。
【図２６】フック部材としての取付部材をフック状掛止部材に掛着した状態を示す側面図である。
【図２７】フック部材としての取付部材をリング状掛止部材に掛着した状態を示す側面図である。
【図２８】Ｕ字状掛止部材としての取付部材をフック状掛止部材に掛着した状態を示す側面図である。
【図２９】Ｕ字状掛止部材としての取付部材をリング状掛止部材に掛着した状態を示す側面図である。
【図３０】取付け部を構成するバンドの他の態様を示す斜視図である。
【図３１】その使用状態を示す斜視図である。
【符号の説明】
【００６９】
１  石材構造物
２  パレット
３  パレット吊下装置
５  取付け部
６  取付け部付きパレット
７  取付部材
９  吊下ロープ
１０  吊下具
１１  筒状保護カバー
１２  石材
１４  連結棒
１６  位置決め軸
３３  位置決め孔
４６  固定雌ネジ部
５１  上部デッキボード
５２  下部デッキボード
５３  隅の連結部
５５  中間の連結部
５６  ボルト
５７  開口
５９  ネジ軸
６０  空間部
６１  パレット端縁部
６２  端部開口
６５  ボルト挿通孔
６６  座金
７４  バンド
７０  ループ部
７１  ループ部
７２  ロープ本体
７６  把持部
７７  下端収容部
８５  挿入開口
【図１】
2007126184.tif 000003
【図２】
2007126184.tif 000004
【図３】
2007126184.tif 000005
【図４】
2007126184.tif 000006
【図５】
2007126184.tif 000007
【図６】
2007126184.tif 000008
【図７】
2007126184.tif 000009
【図８】
2007126184.tif 000010
【図９】
2007126184.tif 000011
【図１０】
2007126184.tif 000012
【図１１】
2007126184.tif 000013
【図１２】
2007126184.tif 000014
【図１３】
2007126184.tif 000015
【図１４】
2007126184.tif 000016
【図１５】
2007126184.tif 000017
【図１６】
2007126184.tif 000018
【図１７】
2007126184.tif 000019
【図１８】
2007126184.tif 000020
【図１９】
2007126184.tif 000021
【図２０】
2007126184.tif 000022
【図２１】
2007126184.tif 000023
【図２２】
2007126184.tif 000024
【図２３】
2007126184.tif 000025
【図２４】
2007126184.tif 000026
【図２５】
2007126184.tif 000027
【図２６】
2007126184.tif 000028
【図２７】
2007126184.tif 000029
【図２８】
2007126184.tif 000030
【図２９】
2007126184.tif 000031
【図３０】
2007126184.tif 000032
【図３１】
2007126184.tif 000033
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
四隅部分に取付け部が設けられた取付け部付きのパレットと、該取付け部に着脱可能に取り付けられる取付部材が下端に設けられた吊下ロープの４本を具える吊下具とを具備し、
前記パレットは、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠される如く構成されており、
前記４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするパレット吊下装置。
【請求項２】
請求項１記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とする石材構造物の運搬・展示方法。
【請求項３】
請求項１記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とする石材構造物の運搬・展示方法。
【請求項４】
パレットの四隅部分に設けられた取付け部に着脱可能に取り付けられる取付部材が下端に設けられた吊下ロープの４本を具える吊下具であって、４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするパレットの吊下具。
【手続補正２】
【補正対象書類名】明細書
【補正対象項目名】全文
【補正方法】変更
【補正の内容】
【発明の詳細な説明】
【技術分野】
【０００１】
本発明は、墓石等の石材構造物が設置されたパレットを安全に吊下するためのパレット吊下装置に関するものであり、又、該石材構造物を該パレット吊下装置を用いて運搬・展示するための石材構造物の運搬・展示方法に関するものであり、更に、パレットの吊下具に関するものである。
【背景技術】
【０００２】
墓石等の石材構造物を展示場に運搬し、運搬先でこれを展示する従来方法としては、該石材構造物を木枠に梱包し、この梱包物をクレーンで吊り上げてトラックの荷台に積載し、展示場に運搬した後、運搬先で該梱包物をクレーンで吊り下ろしていた。
【０００３】
梱包物の嵩や梱包形態は、収容される石材構造物の大きさや形態によって様々であるために、該梱包物をトラックの荷台に積載する際や荷台から吊り下ろす際は、各梱包物に応じて安全な吊下部を慎重に選定した上で、該吊下部に吊りロープを取り付けてクレーンで吊下しなければならなかった。このように、重量のある梱包物を安全且つ確実に吊り上げたり吊り下ろしたりする作業には細心の注意を払う必要があり、作業能率が悪い問題があった。又、トラックで運搬中に梱包物が不用意に移動しないように、該梱包物にしっかりとロープ掛けを施す必要があった。加えて運搬先においては、ロープを外して該梱包物を吊り下ろすと共に梱包を解いて石材構造物を取り出し、これをパレット等の上に位置決めして載置しなければならない面倒さがあった。
【０００４】
特に、複数の石材を順次積み上げて構成する墓石等にあっては、各石材を正しく位置決めしながら順次積み上げなければならず、その作業には熟練を要した。又、展示場における石材の積み上げ作業には多くの時間を要したため、石材構造物を効率的に展示し難い問題もあった。
【０００５】
かかる石材構造物の運搬が展示目的のためである場合は、展示された石材構造物を撤収する際に再びこれを木枠に梱包し、該梱包物を前記と同様にしてクレーンで吊り上げてトラックの荷台に積載しなければならず、撤収作業にも多大の手間と時間を要した。そして、かかる運搬作業と撤収作業は、展示場を移動するたび毎に行わなければならず、石材構造物の運搬・展示に多大の手間と時間を要したばかりか、運搬・展示コストの上昇を招く問題があった。
【０００６】
又墓石の運搬等に際して、特開２０００−３３５８７３号公報が開示するように、個々の石材をクランプで挾持して吊り上げ、これを所定場所に吊り下ろすことも行われていたが、かかるクランプ挾持作業は、石材の表面状態によっては滑り落ちやすいために、石材構造物の吊り上げに危険が伴いやすく、作業の安全性に問題があった。
【０００７】
【特許文献１】特開２０００−３３５８７３号公報（３頁、図１、図２）
【発明の開示】
【発明が解決しようとする課題】
【０００８】
本発明は、前記従来の問題点等に鑑みて開発されたものであり、パレットを用いて石材構造物を展示場に運搬し該石材構造物を運搬先で吊り下ろして展示するに際し、石材構造物の損傷を生じさせないパレット吊下装置の提供を課題とするものであり、又、石材構造物の損傷を生じさせないパレットの吊下具の提供を課題とするものであり、更に、石材構造物を展示場に安全且つ作業性よく運搬してこれを運搬先で安全且つ能率的に吊り下ろして展示することのできる石材構造物の運搬・展示方法の提供を課題とするものである。
【課題を解決するための手段】
【０００９】
前記課題を解決するため本発明は以下の手段を採用する。
即ち本発明に係るパレット吊下装置は、四隅部分に取付け部が設けられた取付け部付きのパレットと、該取付け部に着脱可能に取り付けられる取付部材が下端に設けられた吊下ロープの４本を具える吊下具とを具備する。前記パレットは、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠される如く構成されている。そして、前記４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするものである。
【００１０】
又、本発明に係る石材構造物の運搬・展示方法は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とするものである。
【００１１】
又、本発明に係る石材構造物の運搬・展示方法のより好ましい態様は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とするものである。
【００１２】
又、本発明に係るパレットの吊下具（以下吊下具という）は、パレットの四隅部分に設けられた取付け部に着脱可能に取り付けられる取付部材が下端に設けられた吊下ロープの４本を具える吊下具であって、４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするものである。
【発明の効果】
【００１３】
本発明は以下の如き優れた効果を奏する。
(1) 本発明に係るパレット吊下装置によるときは、石材構造物を展示場に運搬し、これを運搬先で展示のために設置するに際し、該石材構造物をパレットに安全に且つ容易にボルト固定できる。かかることから本発明によるときは、石材構造物を運搬する際、従来のような梱包作業を要することなく、又、石材構造物をロープでトラックの荷台に固定することも特に要さず、該石材構造物を、作業手間を削減して安全且つ能率的に運搬できる。又、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００１４】
(2) 又、吊下具が設けられた本発明に係るパレット吊下装置によるときは、パレットの四隅部分に取付け部が設けられているため、吊下ロープの下端部分を該取付け部に掛着する等して、重量物たる墓石等の石材構造物とパレットとの一体化物を、安全且つ容易に吊り上げたり吊り下ろしたりすることができる。
又、該吊下ロープに筒状保護カバーが装着されているため、下端に設けられた取付部材が金属製のフック部材であるときにも、展示品である墓石等の石材構造物を該取付部材で損傷する恐れなく、石材構造物とパレットとの一体化物を吊り上げたり吊り下ろしたりすることができる。
【００１５】
(3) 本発明に係るパレット吊下装置によるときは、上部デッキボードと下部デッキボードとの間に形成されている空間部を、前記ボルト固定を行う際に手を挿入するスペースとして有効活用して、石材構造物をパレットに安全且つ能率的にボルト固定でき、しかも、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００１６】
(4) 又、本発明に係る石材構造物の運搬・展示方法によるときは、墓石等の石材構造物とパレットとを一体化し、該一体化物を取り扱うため、石材構造物をパレットに一旦固定してしまえば、後は、該一体化物を、安全且つ確実に吊り上げたり吊り下ろしたりできる。従って、従来のような梱包作業を必要とせず、石材構造物を展示場に安全且つ能率的に運搬できると共に、該一体化物を所定場所に安全且つ能率的に吊り下ろすことができる。そして、このように一体化物を吊り下ろしさえすれば石材構造物の展示が直ちに可能になることから、展示のための準備時間を削減して効率的な展示を行い得ることとなる。加えて、石材構造物とパレットとが一体化していることから、展示終了後における撤収作業も安全且つ能率的に行うことができ、次の展示場への運搬も容易である。
【００１７】
(5) 本発明に係るパレット吊下装置によるときは、特に石材構造物が墓石である場合、該墓石を前記のようにパレットに安全にボルト固定できることから、例えば図１６に示すようにパレットを傾斜させた際にも石材構造物が転倒する恐れがなく、墓石等の耐震性をアピールした展示が可能となる。
又、竿石の上端にアイボルト等の吊り下げ用取付け部を設ける場合は、墓石とパレットとの一体化物を該吊り下げ用取付け部で吊り上げることにより、複数の石材を連結して構成された墓石の安定した連結状態を印象づけることができ、これによっても墓石の耐震性をアピールできる。
【００１８】
(6) そして本発明においては、石材構造物をパレットに固定することとしているため、該石材構造物が墓石や五輪塔等である場合、該パレットを墓地の基礎部分と見立てたとき、墓地における墓石等の建立状態をイメージさせやすくして展示効果を上げることができる。
【実施例１】
【００１９】
図１は、図２に示す石材構造物１を、安全且つ容易に展示場に運搬して所定場所に展示するために用いられる、石材構造物の運搬・展示用のパレット２を示すものである。又図２は、該パレット２を吊下するパレット吊下装置３を示すものである。
【００２０】
該パレット吊下装置３は、前記パレット２の四隅部分に、フック掛着部５ａとしての取付け部５が設けられた取付け部付きパレット６と、該取付け部５に着脱自在に取り付けられるフック部材７ａとしての取付部材７が下端に設けられた吊下ロープ９の４本とを具える吊下具１０を具備し、該４本の吊下ロープ９，９，９，９の夫々に筒状保護カバー１１が装着されている。
【００２１】
前記石材構造物１は、石材１２を積み上げて構成された墓石や灯籠、石碑、更には単一の石材からなる構造物を指すものであるが、本実施例においては、図２〜３に示すように、最下段の芝台１３としての石材１２と、最上段の竿石１５としての石材１２を含む複数個の石材１２が積重され且つ全体が連結棒１４（図３）で連結一体化される墓石１ａとして構成されている。そして本実施例においては、石材相互が、位置決め軸１６（図３）を介して正しく位置決めされて積重される。
【００２２】
該墓石１ａは、より具体的には図２〜３に示す構成を有しており、最下段の芝台１３としての石材１２上に、中台１７としての石材１２を積重し、その上に上台１９としての石材１２を積重すると共に、その上に寸輪２０としての石材１２を積重し、更にその上に、上下に長い竿石１５としての石材１２を積重した構成を有している。そして、前記芝台１３と中台１７と上台１９と寸輪２０の夫々には、図３〜６に示すように、その中央に、上下方向に貫通する連結孔２１，２１，２１，２１が設けられている。該連結孔２１の直径は、例えば１８ｍｍ程度に設定される。又、前記竿石１５の下の面２４の中央には、図３、図６に示すように雌ネジ部２２が埋設されると共に、該竿石１５の上面部３４の中央部位には、図３、図５に示すように、アイボルト等の吊り下げ用取付け部２３が設けられている。
【００２３】
又、図３、図４〜６に示すように、前記芝台１３の上の面２５と、前記中台１７の上下の面２６，２７と、前記上台１９の上下の面２９，３０と、前記寸輪２０の上下の面３１，３２の夫々に、前記連結孔２１を挟んだ対向側で、例えば左右に位置させて、且つ前記連結孔２１から同距離で、２個の有底の円形状位置決め孔３３，３３が同径、同深さで設けられている。又前記竿石１５の下の面３５にも、図６に示すように、前記雌ネジ部２２を挟んだ対向側で、例えば左右に位置させて、且つ前記雌ネジ部２２から同距離で、２個の有底の円形状位置決め孔３３，３３が同径、同深さに設けられている。該位置決め孔３３の直径は、例えば１６ｍｍ程度に設定される。そして図４に示すように、上下の位置決め孔３３，３３を連通させて下の石材１２上に上の石材１２を積重した状態で、前記連結孔２１，２１相互が上下連通し且つ前記竿石１５の雌ネジ部２２と前記寸輪２０の連結孔２１とが連通する如くなされている。
【００２４】
そして下の石材１２上に上の石材１２を積重するに際し、下の石材１２の上の面に設けられている２個の位置決め孔３３，３３に、図３〜４に示すように、円柱状位置決め軸１６，１６の下側部分３６，３６を挿入する。これにより、前記位置決め軸１６，１６の上側部分３７，３７が、前記上の面２５，２６，２９，３１で突出状態になる。該突出状態の上側部分３７，３７は、上の石材１２を吊り下ろすことにより、該上の石材１２の前記下の面２７，３０，３２，２４に設けられた位置決め孔３３，３３に挿入される。
【００２５】
又、図２、図５〜７に示すように、前記芝台１３の前側部分の中央には、納骨のための、例えば円形状の開口３９が設けられている。本実施例においては図６〜７に示すように、該開口３９の下側部分４０に、後側に向けて拡張する拡張凹部４１が連設され、該拡張凹部４１の上側部分は庇状の連結板部４２とされると共に、該連結板部４２に前記連結孔２１が貫設されている。そして図６、図８に示すように、該芝台１３の下面４３の左右部分（対向部分）４５，４５の前後（両側）４箇所において、固定雌ネジ部４６，４６，４６，４６が埋設されている。又、前記中台１７の前面側の中央部には、図２、図６〜７に示すように、下端開放の出し入れ口４７が、前記開口３９に連なるように設けられている。
【００２６】
又前記連結棒１４は、上下に長い例えばステンレス製のものであり、図３に示すように、その下端に前記ネジ軸部４９が設けられると共にその上端にもネジ軸部５０が設けられており、該上のネジ軸部５０は前記竿石１５の前記雌ネジ部２２に螺合せしめられる。
【００２７】
前記パレット２は、例えば図１に示すように、１辺長さが１１０ｃｍ程度で厚さが１５ｃｍ程度の正方形板状を呈している。本実施例においては、全体が合成樹脂で一体に形成されており、正方形板状に形成された上部デッキボード５１と下部デッキボード５２とが、周縁部分の四隅に配設された隅の連結部５３，５３，５３，５３と、該隅の連結部５３，５３間に配設された中間の連結部５５，５５，５５，５５と、中央の連結部５８とにより連結された正方形板体として形成されており、図２に示すように、該上部デッキボード５１の後側寄り部分に前記石材構造物１が載置される。
【００２８】
又、該上部デッキボード５１の後側寄り部分には、図１、図８に示すように、前記芝台１３の下面４３に設けられた前記４個の固定雌ネジ部４６，４６，４６，４６に螺合し得るボルト５６，５６，５６，５６を上方に向けて挿通させる、例えば円形の開口５７，５７，５７，５７が、正方形の各頂点に位置するように設けられている。本実施例においては、該ボルト５６はボルト頭５４を有し、そのネジ軸５９の径は１８ｍｍに設定されると共に該開口５７の径は、該ネジ軸５９の挿通を容易とするために、それよりも稍大径の２５ｍｍに設定されている。そして該開口５７は、図２に示すように、前記上部デッキボード５１に前記芝台１３を載置したときに該芝台１３の下面４３で覆い隠される。
【００２９】
かかる構成を有するパレット２に前記墓石１ａを固定するに際しては、図９、図８に示すように、前記芝台１３を、その下面４３に設けられている固定雌ネジ部４６，４６，４６，４６を前記開口５７，５７，５７，５７に位置合わせして、前記上部デッキボード５１に載置する。本実施例においては、その後、前記隅の連結部５３と中間の連結部５５との間に形成されている空間部６０に、パレット端縁部６１で開放する端部開口６２から手を挿入して（挿入量は、例えば１５ｃｍ程度）、前記開口５７の周縁部分の下面６３に、厚さが４ｍｍ、一辺長さが１００ｍｍで且つその中央部に１８ｍｍのボルト挿通孔６５が設けられた例えば正方形板状を呈する座金６６を当接させ、該ボルト挿通孔６５に前記ボルト５６のネジ軸５９を挿通させ、該ネジ軸５９を前記固定雌ネジ部４６に螺合し、レンチで締め付ける。これによって、前記芝台１３をパレット２に固定する。この状態で、前記４個の開口５７，５７，５７，５７は、前記芝台１３の下面（石材構造物１の下面４８）４３で覆い隠される。
【００３０】
その後、図９、図４、図３に示すように、該芝台１３の上の面２５に設けられた左右の位置決め孔３３，３３の夫々に、前記位置決め軸１６の下側部分３６，３６を挿入する。この状態で、該位置決め軸１６，１６の上側部分３７，３７が、前記上の面２５の左右で突出状態となる。その後、前記中台１７を、その下の面２７に設けられている左右の位置決め孔３３，３３に前記位置決め軸１６，１６の上側部分３７，３７が挿入されるように位置決めをして吊り下ろす。これにより、芝台１３に設けられた連結孔２１と中台１７に設けられた連結孔２１とが、図４に示すように連通状態となる。
【００３１】
その後、図３〜４に示すように、中台１７の上の面２６の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２６の左右で突出状態となる。その後、前記上台１９を、その下の面３０に設けられている左右の位置決め孔３３，３３に前記位置決め軸１６，１６の上側部分３７，３７が挿入されるように位置決めをして、吊り下ろす。これにより、中台１７に設けられた連結孔２１と上台１９に設けられた連結孔２１とが図４に示すように連通状態となる。
【００３２】
その後、図３〜４に示すように、上台１９の上の面２９の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２９の左右で突出状態となる。その後、前記寸輪２０を、その下の面３２に設けられている左右の位置決め孔３３，３３に、前記位置決め軸１６，１６の上側部分３７，３７が挿入されるように位置決めをして、吊り下ろす。これにより、上台１９に設けられた連結孔２１と寸輪２０に設けられた連結孔２１とが図４に示すように連通状態となる。
【００３３】
この一連の組立工程を経ることにより、各石材に設けられた前記連結孔２１，２１，２１，２１が上下連通状態となる。この連通した連結孔に、図１０に示すように、前記連結棒１４を上から下に向けて挿通させ、該連結棒１４の上端のネジ軸部５０を前記竿石１５の前記雌ネジ部２２に螺合するのであるが、その際は図１０に示すように、連通した連結孔の直上に前記雌ネジ部２２が存するように竿石１５を吊下状態とし、前記ネジ軸部５０を前記雌ネジ部２２に螺合させる。
【００３４】
その後、該竿石１５を吊り下ろし、これを前記寸輪２０の上の面３１に載せるのであるが、その際、図１０に示すように、該上の面３１の左右に設けられている位置決め孔３３，３３の夫々に、位置決め軸１６，１６の下側部分３６，３６を挿入しておく。この状態で、該位置決め軸１６，１６の上側部分３７，３７が、前記上の面３１の左右で突出状態となる。その後、前記竿石１５を、その下の面２４の左右に設けられた前記位置決め孔３３，３３に前記位置決め軸１６，１６の上側部分３７，３７が挿入されるように位置決めして吊り下ろす。前記竿石１５が寸輪２０の上の面３１に載置された状態で、前記連結棒１４の下端のネジ軸部４９が、図３、図７に示すように、前記芝台１３の前記連結板部４２の下面６７で、例えば３０ｍｍ程度突出状態となる。その後、図７に示す前記出し入れ口４７から前記開口３９を通して前記拡張凹部４１内に手を挿入し、図４、図７に示すように、前記下端のネジ軸部４９に座金５８を介してナット６９を螺合し締め付ける。このようにナット６９を締め付けることによって、墓石１ａが連結棒１４を介して一体化され、前記４本のボルト５６，５６，５６，５６を介して前記パレット２に安定状態に固定される。
【００３５】
このように墓石１ａをパレット２に固定した状態において、前記開口５７が前記芝台１３の下面４３で被い隠された状態になるために、該開口５７によって墓石の設置状態の見栄えが損なわれる恐れがない。
【００３６】
前記墓石１ａを展示場に運搬して展示するに際しては、墓石１ａとパレット２との一体化物６８（図１２）をクレーンでトラックの荷台に積んでこれを展示場に運搬し、運搬先において、該一体化物をクレーンで吊り下ろして所定場所に展示する。
【００３７】
又、前記パレット吊下装置３を構成する前記取付け部付きパレット６は、図１１（Ａ）に示すように、前記パレット２を用いて構成されている。前記取付け部５を形成するには、例えば図１１（Ｂ）に示すような、両端にループ部７０，７１が設けられた布製等のバンド７４を用い、これを前記四隅の連結部５３，５３，５３，５３の夫々に巻き付けると共に一方のループ部７０に他方のループ部７１を潜らせて該他方のループ部７１を突出状態にし、該突出した他方のループ部７１を前記取付け部５とする。
【００３８】
又前記吊下具１０は、本実施例においては、図２、図１２に示すように、独立した４本の吊下ロープ９，９，９，９を用いて構成されており、該吊下ロープ９は、布製の帯状を呈するロープ本体７２の下端に、前記取付け部５に掛着される取付部材（金属製のフック部材７ａ）７が設けられると共に、該ロープ本体７２の上端には、クレーンのフック７３に掛着により取り付けられる取付けループ部６４が設けられている。
【００３９】
又前記４本の吊下ロープ９，９，９，９の夫々には、図１２に示すように、上下端が開放した筒状を呈し且つ前記パレット２に載置されている前記墓石１ａを損傷しない素材（例えば布製素材）からなる前記筒状保護カバー１１が、その挿通孔７５に前記吊下ロープ（ロープ本体７２）９を挿通させて上下動可能に装着されている。該筒状保護カバー１１は、手による上下動操作を容易とするために比較的長く形成され（本実施例においては４０ｃｍ程度に設定され）、その上側の部分が把持部７６とされている。
【００４０】
前記のように墓石１ａをパレット２に固定した後、前記パレット吊下装置３を用いて該墓石１ａを展示場に運搬して展示するに際しては、例えば図２に示すように、前記４本の吊下ロープ９，９，９，９の上端の取付けループ部６４，６４，６４，６４をクレーンの前記フック７３に掛着により取り付け、図２に示すように、パレット２上の墓石１ａの上側で吊り下げられた状態にする。その後、該４本の吊下ロープ９，９，９，９を、各吊下ロープ９の前記取付部材７を前記取付け部５に取り付けることができるように吊り下ろす。この吊り下ろしの際、前記取付部材（前記金属製のフック部材７ａ）７が前記筒状保護カバー１１の下端収容部７７内に納められていて露出状態にないことから、該取付部材７が墓石１ａに当たったとしても、該取付部材７によって墓石１ａが損傷される恐れがない。
【００４１】
該取付部材７が金属製のフック部材である場合において前記筒状保護カバー１１が設けられていないとすれば、各吊下ロープ９，９，９，９を図１３に矢印で示すように吊り下ろす際に、該取付部材７が墓石１ａに当たって墓石１ａが損傷される恐れがあるので好ましくない。
【００４２】
前記取付部材７を前記取付け部５に取り付けることができるように、各吊下ロープ９を図１４（Ａ）に示すように吊り下ろして後、図１４（Ｂ）に示すように、前記筒状保護カバー１１を前記把持部７６で把持して上昇させることによって前記取付部材（フック部材７ａ）７を露出させ、該フック部材７ａを図１４（Ｃ）、図１２の左側部分に示すように、前記取付け部５に掛着により取り付ける。その後、図１４（Ｄ）、図１２に示すように、該筒状保護カバー１１を下降させて該フック部材７ａを該筒状保護カバー１１の下端収容部７７内に納める。然る後、該４本の吊下ロープ９，９，９，９を介して前記パレット２をクレーンで吊り上げてトラックの荷台に載せる。その後、該筒状保護カバー１１を上昇させて前記取付部材（フック部材７ａ）７を露出させ、該フック部材７ａを前記取付け部５から取り外す。
【００４３】
その後、前記一体化物６８をトラックで展示場に運搬する。展示場では、前記と同様にして、前記４本の吊下ロープ９，９，９，９の上端の取付けループ部６４，６４，６４，６４をクレーンのフック７３に掛着により取り付け、図１２に示すように、パレット２上の墓石１ａの上側で吊り下げられた状態にする。その後、該４本の吊下ロープ９，９，９，９を、各吊下ロープの前記取付部材（フック部材７ａ）７を前記取付け部５に取り付けることができるように吊り下ろし、前記フック部材７ａを前記取付け部５に掛着により取り付ける。然る後、該４本の吊下ロープ９，９，９，９を介して前記パレット２をクレーンで吊り上げ、該パレット２を展示場の所定場所に吊り下ろして設置した後、各吊下ロープ９の取付部材（フック部材７ａ）７を前記取付け部５から外す。
【００４４】
墓石１ａの展示は、該墓石１ａにパレット２が取り付いた状態で行われるのであるが、展示状態の見栄えを考慮して、四隅の連結部５３，５３，５３，５３に巻き付けられていた前記バンド７４，７４，７４，７４を取り外すのがよい。図１５に示す展示状態においては、前記パレット２の、墓石１ａの前側スペース部７９に、台座８０を設置すると共に該台座８０上に香炉８１や花立て８２を載置している。このようにすれば、前記パレット２を墓地における基礎部と見立てて、墓石の実際の建立状態をイメージできることとなり、墓石の展示効果を上げることができる。
【００４５】
又本実施例においては、図３に示すように、墓石１ａが連結棒１４を介して一体化されると共に該墓石１ａが前記ボルト５６，５６，５６，５６を介して前記パレット２に安定状態に固定されていることから、図１６に示すように、該パレット２を例えば１５〜２０度に傾けても、墓石１ａが転倒する恐れがない。従って、展示会場において墓石１ａの耐震性を強くアピールできることとなる。又本実施例においては、前記竿石１５の上端に吊り下げ用取付け部（アイボルト等）２３を固定しているため、図１７に示すように、該吊り下げ用取付け部２３にフック８３を掛着してチエンブロック等で墓石１ａを吊り上げると、墓石１ａとパレット２との一体化物６８が吊り上げられることになる。これにより、墓石全体の一体化強度を強く印象付けることができ、この面からも墓石１ａの耐震性を強くアピールできることとなる。
【００４６】
そして、展示場において顧客が所定の墓石を注文したい場合は、パソコン上で注文書を作成し、無線ＬＡＮやインターネット等を介して直ちに発注することが可能である。所定の展示期間が終わった後は、前記した要領によって、墓石１ａが固定されているパレット２をクレーンで吊り上げてトラックの荷台に載せ、別の展示場に運搬し、前記と同様にしてその展示場でパレット２を吊り下ろして展示する。
【実施例２】
【００４７】
本発明は、前記実施例で示したものに限定されるものでは決してなく、「特許請求の範囲」の記載内で種々の設計変更が可能であることはいうまでもない。その一例を挙げれば次のようである。
【００４８】
(1) 図１８は、パレット端縁部で開放する前記端部開口６２から手を挿入して前記ボルト５６の螺合操作等を行いにくい場合に用いられるパレット２を例示するものであり、前記上部デッキボード５１に挿入開口８５を設け、該挿入開口８５から手を挿入して前記ボルト５６の螺合操作等を行い得るように構成されている。該挿入開口８５は、例えば図１８に一点鎖線で示すように、前記台座８０や香炉８１等を上部デッキボード５１に載せて覆い隠すのがよい。
【００４９】
(2) 墓石１ａとしての石材構造物１をパレット２に固定するに際し、前記実施例においては、芝台１３を上部デッキボード５１にボルト５６で固定した後に該芝台１３上に他の石材を順次積重して墓石１ａの全体を連結棒１４で連結一体化する構成を採用しているが、墓石１ａの全体を連結棒１４で一体化した後に、前記芝台１３をボルト５６を用いて上部デッキボード５１に固定する作業工程によってもよい。
【００５０】
又、墓石１ａとしての石材構造物１を連結棒１４で一体化する手段は、例えば図１９に示すように、間隔を置いて前後左右に配置された支持台８６，８６，８６，８６上に前記芝台１３のコーナ部分８７，８７，８７，８７を載置して後、該芝台１３上に順次石材１２を載置することによって行ってもよい。その際、竿石１５の下の面の雌ネジ部２２に螺合して下方に突出した連結棒１４を、連通状態にある連結孔２１に下方に向けて挿通状態とし、前記芝台１３の下方に突出した連結棒１４の下端のネジ軸部４９を、芝台１３の下面中央部に設けられた凹嵌部８９に突出状態とし、該ネジ軸部４９に座金を介してナット９１を螺合し締め付ける。このとき、該連結棒１４の下端が芝台１３の下面４３から突出しないようにする。その後、該一体化された墓石１ａを前記上部デッキボード５１に載置し、前記と同様にして、前記芝台１３を該上部デッキボード５１にボルト５６，５６，５６，５６で固定する。
【００５１】
又、複数の石材を積重状態で一体化する連結棒１４は、図２０に示すように、一端にボルト頭９３が設けられると共に他端側がネジ軸部９５とされた長ボルト９６として構成されてもよい。図２０は、かかる長ボルト９６を用いて複数の石材１２を積重一体化した場合を示すものであり、上下２個の石材１２，１２を上下方向に挿通する前記長ボルト９６のボルト頭９３が、下の石材１２ａの下面９７の中央部分に設けられた凹部９９に納められると共に、前記ネジ軸部９５が前記上の石材１２ｂの下の面１００に設けられた雌ネジ部２２に螺合され締め付けられている。そしてこの状態で、前記各開口５７は、石材構造物１の下面４８で覆い隠される。
【００５２】
図２１〜２２は、前記上部デッキボード５１に、前記開口５７，５７，５７，５７に加えて中央部にも中央開口１０１を設けた場合を示すものであり、墓石等の石材構造物１の下面１０２で下方に突出された連結棒１４のネジ軸部１０３を、該中央開口１０１に上から下に向けて挿通させ、該中央開口１０１の下側で突出するネジ軸部１０３に、パレット端縁部で開放する端部開口６２から手を挿入して該ネジ軸部１０３に座金１０５を介してナット１０６を螺合し締め付けることにより、墓石１ａを連結棒１４で一体化すると共に該墓石１ａをパレット２に固定し、且つ、前記４つの開口５７，５７，５７，５７を挿通する前記ボルト５６を前記芝台１３の下面に設けられた雌ネジ部２２，２２，２２，２２に螺合し締め付けることによって、墓石１ａをパレット２にボルト固定している。そしてこの状態で、前記各開口５７は、石材構造物１の下面４８で覆い隠される。
【００５３】
(3) 前記石材構造物１は、前記した墓石の他、灯籠や五輪塔、墓誌等の、複数の石材を連結して構成されたものや、前記した香炉や花立て等の単一の石材からなるものであってもよい。これらの石材構造物１をパレット２に固定する際、該石材構造物１のパレット２に対する必要な固定強度を考慮して、一本乃至複数本のボルトでパレット２に固定する。香炉や花立て等の比較的小さな石材構造物１であれば、１本のボルトによっても安定的に固定できる。そして、該ボルト固定のために用いられる前記開口５７は、石材構造物１の下面で被い隠される。なお該石材構造物は、人造石からなるものであってもよい。
【００５４】
(4) 前記吊下具１０は、吊下ロープ９の４本を具えておればよいのであり、前記実施例におけるように各吊下ロープが独立している必要はなく、４本の吊下ロープの上端が一体化していてもよい。
本発明において、上部デッキボード５１に設けられた開口５７を挿通したボルト５６を、石材構造物１の下面４８に設けられた固定雌ネジ部４６に螺合し締め付ける構成は、前記したようなボルト頭５４が設けられたボルト５６を用いて行なうことの他、図２３に示すように、該ボルト５６を、両端部分がネジ軸部１０７，１０９とされた（本実施例においては全長に亘ってネジ軸部とされた）直線軸状のボルト５６を用い、その一端側のネジ軸部１０７を前記固定雌ネジ部４６に螺合すると共に、他端側のネジ軸部１０９にナット１１０を螺合し、該ナット１１０を締め付ける構成のものを含むものである。
【００５５】
(5) 図２４、図２６は、前記取付け部５の他の態様を示すものであり、ネジ軸部１１１の上端にフック部１１２を設けたフック状掛止部材１１３を用いて構成され、該ネジ軸部１１１を、例えば図２６に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記フック部１１２は、何らかの手段でパレット２の四隅部分の連結部５３に設けられればよいのであり、例えば、該フック部に設けたアンカー部を該連結部５３に埋設して設けてもよい。
【００５６】
又図２５、図２７は、前記取付け部５のその他の態様を示すものであり、ネジ軸部１２０の上端にリング部１２１を設けたリング状掛止部材１２２を用いて構成され、該ネジ軸部１２０を、例えば図２７に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記リング部１２１は、何らかの手段でパレット２の四隅部分の連結部５３に設けられればよいのであり、例えば、該リング部に設けたアンカー部を該連結部５３に埋設して設けてもよい。
【００５７】
図２６の右側には、前記フック部材７ａとしての取付部材７を、前記フック状掛止部材１１３のフック部１１２に掛着により取り付けた状態が示されており、図２７の右側には、前記フック部材７ａとしての取付部材７を、前記リング状掛止部材１２２のリング部１２１に掛着により取り付けた状態が示されている。
【００５８】
又図２８の右側には、Ｕ字状掛止部材７ｂとしての取付部材７を、前記フック状掛止部材１１３のフック部１１２に掛着により取り付けた状態が示されており、図２９の右側には、Ｕ字状掛止部材７ｂとしての取付部材７を、前記リング状掛止部材１２２のリング部１２１に掛着により取り付けた状態が示されている。ここに該Ｕ字状掛止部材７ｂは、図２９に示すように、Ｕ字状部１２３の両端部１２５，１２７の一方１２５にボルト挿通孔１２６が設けられると共に他方１２７にネジ孔１２８が設けられており、掛止ボルト１２９のネジ軸部１３０を前記ボルト挿通孔１２６に挿通すると共に、該ネジ軸部１３０を前記ネジ孔１２８に螺合することによって構成されている。
【００５９】
図２６〜２９に示す場合においても、図１４（Ｄ）に示すと同様にして、前記筒状保護カバー１１を下降させて、前記フック部材７ａや前記Ｕ字状掛止部材７ｂを該筒状保護カバー１１の下端収容部７７内に納める。
【００６０】
(6) 図３０は、前記バンド７４の他の態様を示すものであり、全体がロープを用いて構成され、両端にループ部７０，７０が設けられている。図３１は、該バンド７４を用いて構成された取付け部５を示すものであり、これを前記連結部５３の夫々に巻き付けると共に一方のループ部７０に他方のループ部７１を潜らせて該他方のループ部７１を突出状態にし、該突出した他方のループ部７１を取付け部５としている。そして図３１に示すように、該取付け部５（ループ部７１）にフック部７ａが掛着される。
【００６１】
(7) 前記取付け部５及び該取付け部５に取り付けられる前記取付部材７は、前記したものに特定されず、各種に構成できる。
【図面の簡単な説明】
【００６２】
【図１】本発明に係るパレットを示す斜視図である。
【図２】本発明に係るパレット吊下装置をその使用状態で示す斜視図である。
【図３】墓石をパレットに固定した状態を示す断面図である。
【図４】その部分拡大図である。
【図５】パレットと墓石の構成を説明する斜視図である。
【図６】パレットと墓石の構成を説明する斜視図である。
【図７】墓石を連結棒で一体化する工程を説明する断面図である。
【図８】芝台をパレットの上部デッキボードに固定する工程を説明する斜視図である。
【図９】墓石をパレットに固定した状態を示す断面図である。
【図１０】パレット上において墓石を連結棒で一体化する工程を説明する断面図である。
【図１１】取付け部付きパレットを、これを構成するバンドと共に示す斜視図である。
【図１２】吊下具で、墓石が固定されたパレットを吊り上げる工程を説明する斜視図である。
【図１３】筒状保護カバーが設けられていない吊下具で墓石を吊り上げる場合の問題点を説明する斜視図である。
【図１４】墓石とパレットとの一体化物を吊下具で吊り上げる工程を説明する説明図である。。
【図１５】墓石の展示状態を示す斜視図である。
【図１６】墓石が固定されたパレットを傾けた状態を示す正面図である。
【図１７】墓石とパレットとの一体化物を吊り上げた状態を示す正面図である。
【図１８】挿入開口が設けられたパレットをその使用状態で示す部分斜視図である。
【図１９】墓石を連結棒で一体化する他の手段を説明する断面図である。
【図２０】２個の石材を長ボルトで連結した状態を示す部分断面図である。
【図２１】上部デッキボードに中央開口が設けられたパレットを示す斜視図である。
【図２２】そのパレットに墓石を固定した状態を示す断面図である。
【図２３】石材構造物の下面に設けられた固定雌ネジ部にボルトを螺合し締め付ける他の構成を示す断面図である。
【図２４】取付け部の他の態様を示す斜視図である。
【図２５】取付け部のその他の態様を示す斜視図である。
【図２６】フック部材としての取付部材をフック状掛止部材に掛着した状態を示す側面図である。
【図２７】フック部材としての取付部材をリング状掛止部材に掛着した状態を示す側面図である。
【図２８】Ｕ字状掛止部材としての取付部材をフック状掛止部材に掛着した状態を示す側面図である。
【図２９】Ｕ字状掛止部材としての取付部材をリング状掛止部材に掛着した状態を示す側面図である。
【図３０】取付け部を構成するバンドの他の態様を示す斜視図である。
【図３１】その使用状態を示す斜視図である。
【符号の説明】
【００６３】
１  石材構造物
２  パレット
３  パレット吊下装置
５  取付け部
６  取付け部付きパレット
７  取付部材
９  吊下ロープ
１０  吊下具
１１  筒状保護カバー
１２  石材
１４  連結棒
１６  位置決め軸
３３  位置決め孔
４６  固定雌ネジ部
５１  上部デッキボード
５２  下部デッキボード
５３  隅の連結部
５５  中間の連結部
５６  ボルト
５７  開口
５９  ネジ軸
６０  空間部
６１  パレット端縁部
６２  端部開口
６５  ボルト挿通孔
６６  座金
７４  バンド
７０  ループ部
７１  ループ部
７２  ロープ本体
７６  把持部
７７  下端収容部
８５  挿入開口
【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
四隅部分に取付け部が設けられた取付け部付きのパレットと、該取付け部に着脱可能に取り付けられる取付部材が下端に設けられた吊下ロープの４本を具える吊下具とを具備し、
前記パレットは、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠される如く構成されており、
前記４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするパレット吊下装置。
【請求項２】
請求項１記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とする石材構造物の運搬・展示方法。
【請求項３】
請求項１記載のパレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とする石材構造物の運搬・展示方法。
【手続補正２】
【補正対象書類名】明細書
【補正対象項目名】全文
【補正方法】変更
【補正の内容】
【発明の詳細な説明】
【技術分野】
【０００１】
本発明は、墓石等の石材構造物が設置されたパレットを安全に吊下するためのパレット吊下装置に関するものであり、又、該石材構造物を該パレット吊下装置を用いて運搬・展示するための石材構造物の運搬・展示方法に関するものであり、更に、パレットの吊下具に関するものである。
【背景技術】
【０００２】
墓石等の石材構造物を展示場に運搬し、運搬先でこれを展示する従来方法としては、該石材構造物を木枠に梱包し、この梱包物をクレーンで吊り上げてトラックの荷台に積載し、展示場に運搬した後、運搬先で該梱包物をクレーンで吊り下ろしていた。
【０００３】
梱包物の嵩や梱包形態は、収容される石材構造物の大きさや形態によって様々であるために、該梱包物をトラックの荷台に積載する際や荷台から吊り下ろす際は、各梱包物に応じて安全な吊下部を慎重に選定した上で、該吊下部に吊りロープを取り付けてクレーンで吊下しなければならなかった。このように、重量のある梱包物を安全且つ確実に吊り上げたり吊り下ろしたりする作業には細心の注意を払う必要があり、作業能率が悪い問題があった。又、トラックで運搬中に梱包物が不用意に移動しないように、該梱包物にしっかりとロープ掛けを施す必要があった。加えて運搬先においては、ロープを外して該梱包物を吊り下ろすと共に梱包を解いて石材構造物を取り出し、これをパレット等の上に位置決めして載置しなければならない面倒さがあった。
【０００４】
特に、複数の石材を順次積み上げて構成する墓石等にあっては、各石材を正しく位置決めしながら順次積み上げなければならず、その作業には熟練を要した。又、展示場における石材の積み上げ作業には多くの時間を要したため、石材構造物を効率的に展示し難い問題もあった。
【０００５】
かかる石材構造物の運搬が展示目的のためである場合は、展示された石材構造物を撤収する際に再びこれを木枠に梱包し、該梱包物を前記と同様にしてクレーンで吊り上げてトラックの荷台に積載しなければならず、撤収作業にも多大の手間と時間を要した。そして、かかる運搬作業と撤収作業は、展示場を移動するたび毎に行わなければならず、石材構造物の運搬・展示に多大の手間と時間を要したばかりか、運搬・展示コストの上昇を招く問題があった。
【０００６】
又墓石の運搬等に際して、特開２０００−３３５８７３号公報が開示するように、個々の石材をクランプで挾持して吊り上げ、これを所定場所に吊り下ろすことも行われていたが、かかるクランプ挾持作業は、石材の表面状態によっては滑り落ちやすいために、石材構造物の吊り上げに危険が伴いやすく、作業の安全性に問題があった。
【０００７】
【特許文献１】特開２０００−３３５８７３号公報（３頁、図１、図２）
【発明の開示】
【発明が解決しようとする課題】
【０００８】
本発明は、前記従来の問題点等に鑑みて開発されたものであり、パレットを用いて石材構造物を展示場に運搬し該石材構造物を運搬先で吊り下ろして展示するに際し、石材構造物の損傷を生じさせないパレット吊下装置の提供を課題とするものであり、又、石材構造物を展示場に安全且つ作業性よく運搬してこれを運搬先で安全且つ能率的に吊り下ろして展示することのできる石材構造物の運搬・展示方法の提供を課題とするものである。
【課題を解決するための手段】
【０００９】
前記課題を解決するため本発明は以下の手段を採用する。
即ち本発明に係るパレット吊下装置は、四隅部分に取付け部が設けられた取付け部付きのパレットと、該取付け部に着脱可能に取り付けられる取付部材が下端に設けられた吊下ロープの４本を具える吊下具とを具備する。前記パレットは、石材構造物を展示場に運搬して展示するために用いられる石材構造物の運搬・展示用のパレットであって、上部デッキボードと下部デッキボードとが、所要に配設された連結部により連結され、該上部デッキボードに前記石材構造物が載置されるものであり、該上部デッキボードには、前記石材構造物の下面に設けられた固定雌ネジ部に螺合し得るボルトを上方に向けて挿通させる開口が設けられており、該ボルトの螺合操作を、前記連結部間に形成されている空間部を通して行うことができ、又、前記開口が、前記上部デッキボードに載置された前記石材構造物の下面で覆い隠される如く構成されている。そして、前記４本の吊下ロープの上端がクレーンのフックに取り付けられる如くなされ、該４本の吊下ロープの夫々には、上下端が開放した筒状を呈し且つ前記パレットに載置されている前記石材構造物を損傷しない素材からなる筒状保護カバーが、その挿通孔に前記吊下ロープを挿通させて上下動可能に装着されており、該筒状保護カバーが最下降状態で、該筒状保護カバーの下端収容部内に前記取付部材を納めることができる一方、該筒状保護カバーを上昇させることによって前記取付部材を露出させ得るように構成されていることを特徴とするものである。
【００１０】
又、本発明に係る石材構造物の運搬・展示方法は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記雌ネジ部に螺合し締め付けることによって、前記パレットに石材構造物を固定し、その後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げてトラックの荷台に載せ、その後、前記取付部材を前記取付け部から取り外し、展示場に運搬した後、前記４本の吊下ロープの各取付部材を、前記パレットの四隅部分に設けられている前記取付け部の対応のものに取り付けた状態で、該４本の吊下ロープを介して前記パレットを、前記クレーンで吊り上げて前記所定場所に吊り下ろし、その後、前記取付部材を前記取付け部から取り外すことを特徴とするものである。
【００１１】
又、本発明に係る石材構造物の運搬・展示方法のより好ましい態様は、前記パレット吊下装置を用いて石材構造物を展示場に運搬して所定場所に展示する石材構造物の運搬・展示方法であって、前記石材構造物を、その下面に設けられている前記固定雌ネジ部を前記開口に位置合わせして前記上部デッキボードに載置し、その後、前記連結部間に形成されている空間部に、パレット端縁部で開放する端部開口から手を挿入して、前記開口の周縁部分の下面に座金を当接させると共に該座金に設けられているボルト挿通孔を挿通したボルトを前記固定雌ネジ部に螺合し締め付けることによって、前記パレットに石材構造物を固定し、その後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、前記筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げてトラックの荷台に載せ、その後、前記筒状保護カバーを上昇させて前記取付部材を前記取付け部から取り外し、所定場所に運搬した後、前記筒状保護カバーの下端収容部内に前記取付部材が納められた状態にあり且つ上端がクレーンのフックに取り付けられた状態にある前記４本の吊下ロープを、前記取付部材を前記取付け部に取り付けることができるように吊り下ろし、この状態で、該４本の吊下ロープに関し、該筒状保護カバーを上昇させて前記取付部材を露出させ該取付部材を、前記パレットの四隅部分に設けられている前記取付け部の対応のものに取り付け、その後、該筒状保護カバーを下降させて該取付部材を該筒状保護カバーの下端収容部内に納め、然る後、前記４本の吊下ロープを介して前記パレットを、前記クレーンで吊り上げて前記所定場所に吊り下ろし、その後、前記筒状保護カバーを上昇させて前記取付部材を露出させた状態で、該取付部材を前記取付け部から取り外すことを特徴とするものである。
【発明の効果】
【００１２】
本発明は以下の如き優れた効果を奏する。
(1) 本発明に係るパレット吊下装置によるときは、石材構造物を展示場に運搬し、これを運搬先で展示のために設置するに際し、該石材構造物をパレットに安全に且つ容易にボルト固定できる。かかることから本発明によるときは、石材構造物を運搬する際、従来のような梱包作業を要することなく、又、石材構造物をロープでトラックの荷台に固定することも特に要さず、該石材構造物を、作業手間を削減して安全且つ能率的に運搬できる。又、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００１３】
(2) 又、吊下具が設けられた本発明に係るパレット吊下装置によるときは、パレットの四隅部分に取付け部が設けられているため、吊下ロープの下端部分を該取付け部に掛着する等して、重量物たる墓石等の石材構造物とパレットとの一体化物を、安全且つ容易に吊り上げたり吊り下ろしたりすることができる。
又、該吊下ロープに筒状保護カバーが装着されているため、下端に設けられた取付部材が金属製のフック部材であるときにも、展示品である墓石等の石材構造物を該取付部材で損傷する恐れなく、石材構造物とパレットとの一体化物を吊り上げたり吊り下ろしたりすることができる。
【００１４】
(3) 本発明に係るパレット吊下装置によるときは、上部デッキボードと下部デッキボードとの間に形成されている空間部を、前記ボルト固定を行う際に手を挿入するスペースとして有効活用して、石材構造物をパレットに安全且つ能率的にボルト固定でき、しかも、ボルト固定部分が目視されない状態で体裁よく固定できると共に、ボルト固定のために設けた開口を、固定した石材構造物の下面で被い隠すことができるため、石材構造物の展示状態の美観を損なうことがない。
【００１５】
(4) 又、本発明に係る石材構造物の運搬・展示方法によるときは、墓石等の石材構造物とパレットとを一体化し、該一体化物を取り扱うため、石材構造物をパレットに一旦固定してしまえば、後は、該一体化物を、安全且つ確実に吊り上げたり吊り下ろしたりできる。従って、従来のような梱包作業を必要とせず、石材構造物を展示場に安全且つ能率的に運搬できると共に、該一体化物を所定場所に安全且つ能率的に吊り下ろすことができる。そして、このように一体化物を吊り下ろしさえすれば石材構造物の展示が直ちに可能になることから、展示のための準備時間を削減して効率的な展示を行い得ることとなる。加えて、石材構造物とパレットとが一体化していることから、展示終了後における撤収作業も安全且つ能率的に行うことができ、次の展示場への運搬も容易である。
【００１６】
(5) 本発明に係るパレット吊下装置によるときは、特に石材構造物が墓石である場合、該墓石を前記のようにパレットに安全にボルト固定できることから、例えば図１６に示すようにパレットを傾斜させた際にも石材構造物が転倒する恐れがなく、墓石等の耐震性をアピールした展示が可能となる。
又、竿石の上端にアイボルト等の吊り下げ用取付け部を設ける場合は、墓石とパレットとの一体化物を該吊り下げ用取付け部で吊り上げることにより、複数の石材を連結して構成された墓石の安定した連結状態を印象づけることができ、これによっても墓石の耐震性をアピールできる。
【００１７】
(6) そして本発明においては、石材構造物をパレットに固定することとしているため、該石材構造物が墓石や五輪塔等である場合、該パレットを墓地の基礎部分と見立てたとき、墓地における墓石等の建立状態をイメージさせやすくして展示効果を上げることができる。
【実施例１】
【００１８】
図１は、図２に示す石材構造物１を、安全且つ容易に展示場に運搬して所定場所に展示するために用いられる、石材構造物の運搬・展示用のパレット２を示すものである。又図２は、該パレット２を吊下するパレット吊下装置３を示すものである。
【００１９】
該パレット吊下装置３は、前記パレット２の四隅部分に、フック掛着部５ａとしての取付け部５が設けられた取付け部付きパレット６と、該取付け部５に着脱自在に取り付けられるフック部材７ａとしての取付部材７が下端に設けられた吊下ロープ９の４本とを具える吊下具１０を具備し、該４本の吊下ロープ９，９，９，９の夫々に筒状保護カバー１１が装着されている。
【００２０】
前記石材構造物１は、石材１２を積み上げて構成された墓石や灯籠、石碑、更には単一の石材からなる構造物を指すものであるが、本実施例においては、図２〜３に示すように、最下段の芝台１３としての石材１２と、最上段の竿石１５としての石材１２を含む複数個の石材１２が積重され且つ全体が連結棒１４（図３）で連結一体化される墓石１ａとして構成されている。そして本実施例においては、石材相互が、位置決め軸１６（図３）を介して正しく位置決めされて積重される。
【００２１】
該墓石１ａは、より具体的には図２〜３に示す構成を有しており、最下段の芝台１３としての石材１２上に、中台１７としての石材１２を積重し、その上に上台１９としての石材１２を積重すると共に、その上に寸輪２０としての石材１２を積重し、更にその上に、上下に長い竿石１５としての石材１２を積重した構成を有している。そして、前記芝台１３と中台１７と上台１９と寸輪２０の夫々には、図３〜６に示すように、その中央に、上下方向に貫通する連結孔２１，２１，２１，２１が設けられている。該連結孔２１の直径は、例えば１８ｍｍ程度に設定される。又、前記竿石１５の下の面２４の中央には、図３、図６に示すように雌ネジ部２２が埋設されると共に、該竿石１５の上面部３４の中央部位には、図３、図５に示すように、アイボルト等の吊り下げ用取付け部２３が設けられている。
【００２２】
又、図３、図４〜６に示すように、前記芝台１３の上の面２５と、前記中台１７の上下の面２６，２７と、前記上台１９の上下の面２９，３０と、前記寸輪２０の上下の面３１，３２の夫々に、前記連結孔２１を挟んだ対向側で、例えば左右に位置させて、且つ前記連結孔２１から同距離で、２個の有底の円形状位置決め孔３３，３３が同径、同深さで設けられている。又前記竿石１５の下の面３５にも、図６に示すように、前記雌ネジ部２２を挟んだ対向側で、例えば左右に位置させて、且つ前記雌ネジ部２２から同距離で、２個の有底の円形状位置決め孔３３，３３が同径、同深さに設けられている。該位置決め孔３３の直径は、例えば１６ｍｍ程度に設定される。そして図４に示すように、上下の位置決め孔３３，３３を連通させて下の石材１２上に上の石材１２を積重した状態で、前記連結孔２１，２１相互が上下連通し且つ前記竿石１５の雌ネジ部２２と前記寸輪２０の連結孔２１とが連通する如くなされている。
【００２３】
そして下の石材１２上に上の石材１２を積重するに際し、下の石材１２の上の面に設けられている２個の位置決め孔３３，３３に、図３〜４に示すように、円柱状位置決め軸１６，１６の下側部分３６，３６を挿入する。これにより、前記位置決め軸１６，１６の上側部分３７，３７が、前記上の面２５，２６，２９，３１で突出状態になる。該突出状態の上側部分３７，３７は、上の石材１２を吊り下ろすことにより、該上の石材１２の前記下の面２７，３０，３２，２４に設けられた位置決め孔３３，３３に挿入される。
【００２４】
又、図２、図５〜７に示すように、前記芝台１３の前側部分の中央には、納骨のための、例えば円形状の開口３９が設けられている。本実施例においては図６〜７に示すように、該開口３９の下側部分４０に、後側に向けて拡張する拡張凹部４１が連設され、該拡張凹部４１の上側部分は庇状の連結板部４２とされると共に、該連結板部４２に前記連結孔２１が貫設されている。そして図６、図８に示すように、該芝台１３の下面４３の左右部分（対向部分）４５，４５の前後（両側）４箇所において、固定雌ネジ部４６，４６，４６，４６が埋設されている。又、前記中台１７の前面側の中央部には、図２、図６〜７に示すように、下端開放の出し入れ口４７が、前記開口３９に連なるように設けられている。
【００２５】
又前記連結棒１４は、上下に長い例えばステンレス製のものであり、図３に示すように、その下端に前記ネジ軸部４９が設けられると共にその上端にもネジ軸部５０が設けられており、該上のネジ軸部５０は前記竿石１５の前記雌ネジ部２２に螺合せしめられる。
【００２６】
前記パレット２は、例えば図１に示すように、１辺長さが１１０ｃｍ程度で厚さが１５ｃｍ程度の正方形板状を呈している。本実施例においては、全体が合成樹脂で一体に形成されており、正方形板状に形成された上部デッキボード５１と下部デッキボード５２とが、周縁部分の四隅に配設された隅の連結部５３，５３，５３，５３と、該隅の連結部５３，５３間に配設された中間の連結部５５，５５，５５，５５と、中央の連結部５８とにより連結された正方形板体として形成されており、図２に示すように、該上部デッキボード５１の後側寄り部分に前記石材構造物１が載置される。
【００２７】
又、該上部デッキボード５１の後側寄り部分には、図１、図８に示すように、前記芝台１３の下面４３に設けられた前記４個の固定雌ネジ部４６，４６，４６，４６に螺合し得るボルト５６，５６，５６，５６を上方に向けて挿通させる、例えば円形の開口５７，５７，５７，５７が、正方形の各頂点に位置するように設けられている。本実施例においては、該ボルト５６はボルト頭５４を有し、そのネジ軸５９の径は１８ｍｍに設定されると共に該開口５７の径は、該ネジ軸５９の挿通を容易とするために、それよりも稍大径の２５ｍｍに設定されている。そして該開口５７は、図２に示すように、前記上部デッキボード５１に前記芝台１３を載置したときに該芝台１３の下面４３で覆い隠される。
【００２８】
かかる構成を有するパレット２に前記墓石１ａを固定するに際しては、図９、図８に示すように、前記芝台１３を、その下面４３に設けられている固定雌ネジ部４６，４６，４６，４６を前記開口５７，５７，５７，５７に位置合わせして、前記上部デッキボード５１に載置する。本実施例においては、その後、前記隅の連結部５３と中間の連結部５５との間に形成されている空間部６０に、パレット端縁部６１で開放する端部開口６２から手を挿入して（挿入量は、例えば１５ｃｍ程度）、前記開口５７の周縁部分の下面６３に、厚さが４ｍｍ、一辺長さが１００ｍｍで且つその中央部に１８ｍｍのボルト挿通孔６５が設けられた例えば正方形板状を呈する座金６６を当接させ、該ボルト挿通孔６５に前記ボルト５６のネジ軸５９を挿通させ、該ネジ軸５９を前記固定雌ネジ部４６に螺合し、レンチで締め付ける。これによって、前記芝台１３をパレット２に固定する。この状態で、前記４個の開口５７，５７，５７，５７は、前記芝台１３の下面（石材構造物１の下面４８）４３で覆い隠される。
【００２９】
その後、図９、図４、図３に示すように、該芝台１３の上の面２５に設けられた左右の位置決め孔３３，３３の夫々に、前記位置決め軸１６の下側部分３６，３６を挿入する。この状態で、該位置決め軸１６，１６の上側部分３７，３７が、前記上の面２５の左右で突出状態となる。その後、前記中台１７を、その下の面２７に設けられている左右の位置決め孔３３，３３に前記位置決め軸１６，１６の上側部分３７，３７が挿入されるように位置決めをして吊り下ろす。これにより、芝台１３に設けられた連結孔２１と中台１７に設けられた連結孔２１とが、図４に示すように連通状態となる。
【００３０】
その後、図３〜４に示すように、中台１７の上の面２６の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２６の左右で突出状態となる。その後、前記上台１９を、その下の面３０に設けられている左右の位置決め孔３３，３３に前記位置決め軸１６，１６の上側部分３７，３７が挿入されるように位置決めをして、吊り下ろす。これにより、中台１７に設けられた連結孔２１と上台１９に設けられた連結孔２１とが図４に示すように連通状態となる。
【００３１】
その後、図３〜４に示すように、上台１９の上の面２９の左右に設けられた前記位置決め孔３３，３３の夫々に前記位置決め軸１６，１６の下側部分３６，３６を挿入する。この状態で、該位置決め軸１６，１６の上側部分３７，３７が、前記上の面２９の左右で突出状態となる。その後、前記寸輪２０を、その下の面３２に設けられている左右の位置決め孔３３，３３に、前記位置決め軸１６，１６の上側部分３７，３７が挿入されるように位置決めをして、吊り下ろす。これにより、上台１９に設けられた連結孔２１と寸輪２０に設けられた連結孔２１とが図４に示すように連通状態となる。
【００３２】
この一連の組立工程を経ることにより、各石材に設けられた前記連結孔２１，２１，２１，２１が上下連通状態となる。この連通した連結孔に、図１０に示すように、前記連結棒１４を上から下に向けて挿通させ、該連結棒１４の上端のネジ軸部５０を前記竿石１５の前記雌ネジ部２２に螺合するのであるが、その際は図１０に示すように、連通した連結孔の直上に前記雌ネジ部２２が存するように竿石１５を吊下状態とし、前記ネジ軸部５０を前記雌ネジ部２２に螺合させる。
【００３３】
その後、該竿石１５を吊り下ろし、これを前記寸輪２０の上の面３１に載せるのであるが、その際、図１０に示すように、該上の面３１の左右に設けられている位置決め孔３３，３３の夫々に、位置決め軸１６，１６の下側部分３６，３６を挿入しておく。この状態で、該位置決め軸１６，１６の上側部分３７，３７が、前記上の面３１の左右で突出状態となる。その後、前記竿石１５を、その下の面２４の左右に設けられた前記位置決め孔３３，３３に前記位置決め軸１６，１６の上側部分３７，３７が挿入されるように位置決めして吊り下ろす。前記竿石１５が寸輪２０の上の面３１に載置された状態で、前記連結棒１４の下端のネジ軸部４９が、図３、図７に示すように、前記芝台１３の前記連結板部４２の下面６７で、例えば３０ｍｍ程度突出状態となる。その後、図７に示す前記出し入れ口４７から前記開口３９を通して前記拡張凹部４１内に手を挿入し、図４、図７に示すように、前記下端のネジ軸部４９に座金５８を介してナット６９を螺合し締め付ける。このようにナット６９を締め付けることによって、墓石１ａが連結棒１４を介して一体化され、前記４本のボルト５６，５６，５６，５６を介して前記パレット２に安定状態に固定される。
【００３４】
このように墓石１ａをパレット２に固定した状態において、前記開口５７が前記芝台１３の下面４３で被い隠された状態になるために、該開口５７によって墓石の設置状態の見栄えが損なわれる恐れがない。
【００３５】
前記墓石１ａを展示場に運搬して展示するに際しては、墓石１ａとパレット２との一体化物６８（図１２）をクレーンでトラックの荷台に積んでこれを展示場に運搬し、運搬先において、該一体化物をクレーンで吊り下ろして所定場所に展示する。
【００３６】
又、前記パレット吊下装置３を構成する前記取付け部付きパレット６は、図１１（Ａ）に示すように、前記パレット２を用いて構成されている。前記取付け部５を形成するには、例えば図１１（Ｂ）に示すような、両端にループ部７０，７１が設けられた布製等のバンド７４を用い、これを前記四隅の連結部５３，５３，５３，５３の夫々に巻き付けると共に一方のループ部７０に他方のループ部７１を潜らせて該他方のループ部７１を突出状態にし、該突出した他方のループ部７１を前記取付け部５とする。
【００３７】
又前記吊下具１０は、本実施例においては、図２、図１２に示すように、独立した４本の吊下ロープ９，９，９，９を用いて構成されており、該吊下ロープ９は、布製の帯状を呈するロープ本体７２の下端に、前記取付け部５に掛着される取付部材（金属製のフック部材７ａ）７が設けられると共に、該ロープ本体７２の上端には、クレーンのフック７３に掛着により取り付けられる取付けループ部６４が設けられている。
【００３８】
又前記４本の吊下ロープ９，９，９，９の夫々には、図１２に示すように、上下端が開放した筒状を呈し且つ前記パレット２に載置されている前記墓石１ａを損傷しない素材（例えば布製素材）からなる前記筒状保護カバー１１が、その挿通孔７５に前記吊下ロープ（ロープ本体７２）９を挿通させて上下動可能に装着されている。該筒状保護カバー１１は、手による上下動操作を容易とするために比較的長く形成され（本実施例においては４０ｃｍ程度に設定され）、その上側の部分が把持部７６とされている。
【００３９】
前記のように墓石１ａをパレット２に固定した後、前記パレット吊下装置３を用いて該墓石１ａを展示場に運搬して展示するに際しては、例えば図２に示すように、前記４本の吊下ロープ９，９，９，９の上端の取付けループ部６４，６４，６４，６４をクレーンの前記フック７３に掛着により取り付け、図２に示すように、パレット２上の墓石１ａの上側で吊り下げられた状態にする。その後、該４本の吊下ロープ９，９，９，９を、各吊下ロープ９の前記取付部材７を前記取付け部５に取り付けることができるように吊り下ろす。この吊り下ろしの際、前記取付部材（前記金属製のフック部材７ａ）７が前記筒状保護カバー１１の下端収容部７７内に納められていて露出状態にないことから、該取付部材７が墓石１ａに当たったとしても、該取付部材７によって墓石１ａが損傷される恐れがない。
【００４０】
該取付部材７が金属製のフック部材である場合において前記筒状保護カバー１１が設けられていないとすれば、各吊下ロープ９，９，９，９を図１３に矢印で示すように吊り下ろす際に、該取付部材７が墓石１ａに当たって墓石１ａが損傷される恐れがあるので好ましくない。
【００４１】
前記取付部材７を前記取付け部５に取り付けることができるように、各吊下ロープ９を図１４（Ａ）に示すように吊り下ろして後、図１４（Ｂ）に示すように、前記筒状保護カバー１１を前記把持部７６で把持して上昇させることによって前記取付部材（フック部材７ａ）７を露出させ、該フック部材７ａを図１４（Ｃ）、図１２の左側部分に示すように、前記取付け部５に掛着により取り付ける。その後、図１４（Ｄ）、図１２に示すように、該筒状保護カバー１１を下降させて該フック部材７ａを該筒状保護カバー１１の下端収容部７７内に納める。然る後、該４本の吊下ロープ９，９，９，９を介して前記パレット２をクレーンで吊り上げてトラックの荷台に載せる。その後、該筒状保護カバー１１を上昇させて前記取付部材（フック部材７ａ）７を露出させ、該フック部材７ａを前記取付け部５から取り外す。
【００４２】
その後、前記一体化物６８をトラックで展示場に運搬する。展示場では、前記と同様にして、前記４本の吊下ロープ９，９，９，９の上端の取付けループ部６４，６４，６４，６４をクレーンのフック７３に掛着により取り付け、図１２に示すように、パレット２上の墓石１ａの上側で吊り下げられた状態にする。その後、該４本の吊下ロープ９，９，９，９を、各吊下ロープの前記取付部材（フック部材７ａ）７を前記取付け部５に取り付けることができるように吊り下ろし、前記フック部材７ａを前記取付け部５に掛着により取り付ける。然る後、該４本の吊下ロープ９，９，９，９を介して前記パレット２をクレーンで吊り上げ、該パレット２を展示場の所定場所に吊り下ろして設置した後、各吊下ロープ９の取付部材（フック部材７ａ）７を前記取付け部５から外す。
【００４３】
墓石１ａの展示は、該墓石１ａにパレット２が取り付いた状態で行われるのであるが、展示状態の見栄えを考慮して、四隅の連結部５３，５３，５３，５３に巻き付けられていた前記バンド７４，７４，７４，７４を取り外すのがよい。図１５に示す展示状態においては、前記パレット２の、墓石１ａの前側スペース部７９に、台座８０を設置すると共に該台座８０上に香炉８１や花立て８２を載置している。このようにすれば、前記パレット２を墓地における基礎部と見立てて、墓石の実際の建立状態をイメージできることとなり、墓石の展示効果を上げることができる。
【００４４】
又本実施例においては、図３に示すように、墓石１ａが連結棒１４を介して一体化されると共に該墓石１ａが前記ボルト５６，５６，５６，５６を介して前記パレット２に安定状態に固定されていることから、図１６に示すように、該パレット２を例えば１５〜２０度に傾けても、墓石１ａが転倒する恐れがない。従って、展示会場において墓石１ａの耐震性を強くアピールできることとなる。又本実施例においては、前記竿石１５の上端に吊り下げ用取付け部（アイボルト等）２３を固定しているため、図１７に示すように、該吊り下げ用取付け部２３にフック８３を掛着してチエンブロック等で墓石１ａを吊り上げると、墓石１ａとパレット２との一体化物６８が吊り上げられることになる。これにより、墓石全体の一体化強度を強く印象付けることができ、この面からも墓石１ａの耐震性を強くアピールできることとなる。
【００４５】
そして、展示場において顧客が所定の墓石を注文したい場合は、パソコン上で注文書を作成し、無線ＬＡＮやインターネット等を介して直ちに発注することが可能である。所定の展示期間が終わった後は、前記した要領によって、墓石１ａが固定されているパレット２をクレーンで吊り上げてトラックの荷台に載せ、別の展示場に運搬し、前記と同様にしてその展示場でパレット２を吊り下ろして展示する。
【実施例２】
【００４６】
本発明は、前記実施例で示したものに限定されるものでは決してなく、「特許請求の範囲」の記載内で種々の設計変更が可能であることはいうまでもない。その一例を挙げれば次のようである。
【００４７】
(1) 図１８は、パレット端縁部で開放する前記端部開口６２から手を挿入して前記ボルト５６の螺合操作等を行いにくい場合に用いられるパレット２を例示するものであり、前記上部デッキボード５１に挿入開口８５を設け、該挿入開口８５から手を挿入して前記ボルト５６の螺合操作等を行い得るように構成されている。該挿入開口８５は、例えば図１８に一点鎖線で示すように、前記台座８０や香炉８１等を上部デッキボード５１に載せて覆い隠すのがよい。
【００４８】
(2) 墓石１ａとしての石材構造物１をパレット２に固定するに際し、前記実施例においては、芝台１３を上部デッキボード５１にボルト５６で固定した後に該芝台１３上に他の石材を順次積重して墓石１ａの全体を連結棒１４で連結一体化する構成を採用しているが、墓石１ａの全体を連結棒１４で一体化した後に、前記芝台１３をボルト５６を用いて上部デッキボード５１に固定する作業工程によってもよい。
【００４９】
又、墓石１ａとしての石材構造物１を連結棒１４で一体化する手段は、例えば図１９に示すように、間隔を置いて前後左右に配置された支持台８６，８６，８６，８６上に前記芝台１３のコーナ部分８７，８７，８７，８７を載置して後、該芝台１３上に順次石材１２を載置することによって行ってもよい。その際、竿石１５の下の面の雌ネジ部２２に螺合して下方に突出した連結棒１４を、連通状態にある連結孔２１に下方に向けて挿通状態とし、前記芝台１３の下方に突出した連結棒１４の下端のネジ軸部４９を、芝台１３の下面中央部に設けられた凹嵌部８９に突出状態とし、該ネジ軸部４９に座金を介してナット９１を螺合し締め付ける。このとき、該連結棒１４の下端が芝台１３の下面４３から突出しないようにする。その後、該一体化された墓石１ａを前記上部デッキボード５１に載置し、前記と同様にして、前記芝台１３を該上部デッキボード５１にボルト５６，５６，５６，５６で固定する。
【００５０】
又、複数の石材を積重状態で一体化する連結棒１４は、図２０に示すように、一端にボルト頭９３が設けられると共に他端側がネジ軸部９５とされた長ボルト９６として構成されてもよい。図２０は、かかる長ボルト９６を用いて複数の石材１２を積重一体化した場合を示すものであり、上下２個の石材１２，１２を上下方向に挿通する前記長ボルト９６のボルト頭９３が、下の石材１２ａの下面９７の中央部分に設けられた凹部９９に納められると共に、前記ネジ軸部９５が前記上の石材１２ｂの下の面１００に設けられた雌ネジ部２２に螺合され締め付けられている。そしてこの状態で、前記各開口５７は、石材構造物１の下面４８で覆い隠される。
【００５１】
図２１〜２２は、前記上部デッキボード５１に、前記開口５７，５７，５７，５７に加えて中央部にも中央開口１０１を設けた場合を示すものであり、墓石等の石材構造物１の下面１０２で下方に突出された連結棒１４のネジ軸部１０３を、該中央開口１０１に上から下に向けて挿通させ、該中央開口１０１の下側で突出するネジ軸部１０３に、パレット端縁部で開放する端部開口６２から手を挿入して該ネジ軸部１０３に座金１０５を介してナット１０６を螺合し締め付けることにより、墓石１ａを連結棒１４で一体化すると共に該墓石１ａをパレット２に固定し、且つ、前記４つの開口５７，５７，５７，５７を挿通する前記ボルト５６を前記芝台１３の下面に設けられた雌ネジ部２２，２２，２２，２２に螺合し締め付けることによって、墓石１ａをパレット２にボルト固定している。そしてこの状態で、前記各開口５７は、石材構造物１の下面４８で覆い隠される。
【００５２】
(3) 前記石材構造物１は、前記した墓石の他、灯籠や五輪塔、墓誌等の、複数の石材を連結して構成されたものや、前記した香炉や花立て等の単一の石材からなるものであってもよい。これらの石材構造物１をパレット２に固定する際、該石材構造物１のパレット２に対する必要な固定強度を考慮して、一本乃至複数本のボルトでパレット２に固定する。香炉や花立て等の比較的小さな石材構造物１であれば、１本のボルトによっても安定的に固定できる。そして、該ボルト固定のために用いられる前記開口５７は、石材構造物１の下面で被い隠される。なお該石材構造物は、人造石からなるものであってもよい。
【００５３】
(4) 前記吊下具１０は、吊下ロープ９の４本を具えておればよいのであり、前記実施例におけるように各吊下ロープが独立している必要はなく、４本の吊下ロープの上端が一体化していてもよい。
本発明において、上部デッキボード５１に設けられた開口５７を挿通したボルト５６を、石材構造物１の下面４８に設けられた固定雌ネジ部４６に螺合し締め付ける構成は、前記したようなボルト頭５４が設けられたボルト５６を用いて行なうことの他、図２３に示すように、該ボルト５６を、両端部分がネジ軸部１０７，１０９とされた（本実施例においては全長に亘ってネジ軸部とされた）直線軸状のボルト５６を用い、その一端側のネジ軸部１０７を前記固定雌ネジ部４６に螺合すると共に、他端側のネジ軸部１０９にナット１１０を螺合し、該ナット１１０を締め付ける構成のものを含むものである。
【００５４】
(5) 図２４、図２６は、前記取付け部５の他の態様を示すものであり、ネジ軸部１１１の上端にフック部１１２を設けたフック状掛止部材１１３を用いて構成され、該ネジ軸部１１１を、例えば図２６に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記フック部１１２は、何らかの手段でパレット２の四隅部分の連結部５３に設けられればよいのであり、例えば、該フック部に設けたアンカー部を該連結部５３に埋設して設けてもよい。
【００５５】
又図２５、図２７は、前記取付け部５のその他の態様を示すものであり、ネジ軸部１２０の上端にリング部１２１を設けたリング状掛止部材１２２を用いて構成され、該ネジ軸部１２０を、例えば図２７に示すように、前記パレット２の四隅部分の連結部５３，５３，５３，５３の夫々の上面中央部に設けた挿通孔１１５に上から下に向けて挿通させると共に、該連結部５３の下面側１１６で突出したネジ軸部分１１７にナット１１９を螺合し締め付けることによって構成されている。
なお前記リング部１２１は、何らかの手段でパレット２の四隅部分の連結部５３に設けられればよいのであり、例えば、該リング部に設けたアンカー部を該連結部５３に埋設して設けてもよい。
【００５６】
図２６の右側には、前記フック部材７ａとしての取付部材７を、前記フック状掛止部材１１３のフック部１１２に掛着により取り付けた状態が示されており、図２７の右側には、前記フック部材７ａとしての取付部材７を、前記リング状掛止部材１２２のリング部１２１に掛着により取り付けた状態が示されている。
【００５７】
又図２８の右側には、Ｕ字状掛止部材７ｂとしての取付部材７を、前記フック状掛止部材１１３のフック部１１２に掛着により取り付けた状態が示されており、図２９の右側には、Ｕ字状掛止部材７ｂとしての取付部材７を、前記リング状掛止部材１２２のリング部１２１に掛着により取り付けた状態が示されている。ここに該Ｕ字状掛止部材７ｂは、図２９に示すように、Ｕ字状部１２３の両端部１２５，１２７の一方１２５にボルト挿通孔１２６が設けられると共に他方１２７にネジ孔１２８が設けられており、掛止ボルト１２９のネジ軸部１３０を前記ボルト挿通孔１２６に挿通すると共に、該ネジ軸部１３０を前記ネジ孔１２８に螺合することによって構成されている。
【００５８】
図２６〜２９に示す場合においても、図１４（Ｄ）に示すと同様にして、前記筒状保護カバー１１を下降させて、前記フック部材７ａや前記Ｕ字状掛止部材７ｂを該筒状保護カバー１１の下端収容部７７内に納める。
【００５９】
(6) 図３０は、前記バンド７４の他の態様を示すものであり、全体がロープを用いて構成され、両端にループ部７０，７０が設けられている。図３１は、該バンド７４を用いて構成された取付け部５を示すものであり、これを前記連結部５３の夫々に巻き付けると共に一方のループ部７０に他方のループ部７１を潜らせて該他方のループ部７１を突出状態にし、該突出した他方のループ部７１を取付け部５としている。そして図３１に示すように、該取付け部５（ループ部７１）にフック部７ａが掛着される。
【００６０】
(7) 前記取付け部５及び該取付け部５に取り付けられる前記取付部材７は、前記したものに特定されず、各種に構成できる。
【図面の簡単な説明】
【００６１】
【図１】本発明に係るパレットを示す斜視図である。
【図２】本発明に係るパレット吊下装置をその使用状態で示す斜視図である。
【図３】墓石をパレットに固定した状態を示す断面図である。
【図４】その部分拡大図である。
【図５】パレットと墓石の構成を説明する斜視図である。
【図６】パレットと墓石の構成を説明する斜視図である。
【図７】墓石を連結棒で一体化する工程を説明する断面図である。
【図８】芝台をパレットの上部デッキボードに固定する工程を説明する斜視図である。
【図９】墓石をパレットに固定した状態を示す断面図である。
【図１０】パレット上において墓石を連結棒で一体化する工程を説明する断面図である。
【図１１】取付け部付きパレットを、これを構成するバンドと共に示す斜視図である。
【図１２】吊下具で、墓石が固定されたパレットを吊り上げる工程を説明する斜視図である。
【図１３】筒状保護カバーが設けられていない吊下具で墓石を吊り上げる場合の問題点を説明する斜視図である。
【図１４】墓石とパレットとの一体化物を吊下具で吊り上げる工程を説明する説明図である。。
【図１５】墓石の展示状態を示す斜視図である。
【図１６】墓石が固定されたパレットを傾けた状態を示す正面図である。
【図１７】墓石とパレットとの一体化物を吊り上げた状態を示す正面図である。
【図１８】挿入開口が設けられたパレットをその使用状態で示す部分斜視図である。
【図１９】墓石を連結棒で一体化する他の手段を説明する断面図である。
【図２０】２個の石材を長ボルトで連結した状態を示す部分断面図である。
【図２１】上部デッキボードに中央開口が設けられたパレットを示す斜視図である。
【図２２】そのパレットに墓石を固定した状態を示す断面図である。
【図２３】石材構造物の下面に設けられた固定雌ネジ部にボルトを螺合し締め付ける他の構成を示す断面図である。
【図２４】取付け部の他の態様を示す斜視図である。
【図２５】取付け部のその他の態様を示す斜視図である。
【図２６】フック部材としての取付部材をフック状掛止部材に掛着した状態を示す側面図である。
【図２７】フック部材としての取付部材をリング状掛止部材に掛着した状態を示す側面図である。
【図２８】Ｕ字状掛止部材としての取付部材をフック状掛止部材に掛着した状態を示す側面図である。
【図２９】Ｕ字状掛止部材としての取付部材をリング状掛止部材に掛着した状態を示す側面図である。
【図３０】取付け部を構成するバンドの他の態様を示す斜視図である。
【図３１】その使用状態を示す斜視図である。
【符号の説明】
【００６２】
１  石材構造物
２  パレット
３  パレット吊下装置
５  取付け部
６  取付け部付きパレット
７  取付部材
９  吊下ロープ
１０  吊下具
１１  筒状保護カバー
１２  石材
１４  連結棒
１６  位置決め軸
３３  位置決め孔
４６  固定雌ネジ部
５１  上部デッキボード
５２  下部デッキボード
５３  隅の連結部
５５  中間の連結部
５６  ボルト
５７  開口
５９  ネジ軸
６０  空間部
６１  パレット端縁部
６２  端部開口
６５  ボルト挿通孔
６６  座金
７４  バンド
７０  ループ部
７１  ループ部
７２  ロープ本体
７６  把持部
７７  下端収容部
８５  挿入開口